(57)【要約】【課題】表示装置の表示部における表示位置に応じて、視野角補正の度合いを切り替える。【解決手段】表示装置（１）は、表示部（１１）と、表示制御部（１０）とを備えている表示装置であって、表示制御部（１０）は、表示部（１１）における表示位置に応じて、視野角補正の度合いを切り替える。【選択図】図３
2020034876.tif 000002
【特許請求の範囲】
【請求項１】
表示部と、表示制御部とを備えている表示装置において、
上記表示制御部は、上記表示部における表示位置に応じて、視野角補正の度合いを切り替える
ことを特徴とする表示装置。
【請求項２】
上記表示制御部は、上記表示部における表示領域を、中央側から周辺側に向けて複数の領域に分割し、周辺側の領域ほど、視野角補正の度合いを強くする
ことを特徴とする請求項１に記載の表示装置。
【請求項３】
上記表示制御部は、上記表示部を構成する複数の部分領域の各々においてコンテンツを表示する場合、各部分領域を、当該部分領域の中央側から周辺側に向けて複数の領域に分割し、周辺側の領域ほど、視野角補正の度合いを強くする
ことを特徴とする請求項１に記載の表示装置。
【請求項４】
人感センサーを更に備え、
上記表示制御部は、人感センサーによって特定された視聴者の視聴位置及び視聴距離に更に応じて、視野角補正の度合いを切り替える
ことを特徴とする請求項１から３の何れか１項に記載の表示装置。
【請求項５】
上記表示制御部は、表示対象コンテンツの種類に応じて、視野角補正の度合いを切り替えるか、又は視野角補正を行うか否かを切り替える
ことを特徴とする請求項１から４の何れか１項に記載の表示装置。
【請求項６】
上記表示部は、互いに隣接する第１画素及び第２画素を含む複数の画素を備えており、
上記複数の画素のそれぞれは、第１サブ画素、第２サブ画素、及び第３サブ画素を含む複数のサブ画素を有しており、
上記表示制御部により、上記表示部における視野角補正有りとした第１の領域において、
入力信号に示された上記第１画素および上記第２画素のそれぞれがある有彩色を示す場合、上記第１画素および上記第２画素のうちの少なくとも一方の上記第３サブ画素が点灯し、上記第１画素の上記第１サブ画素および上記第２サブ画素ならびに上記第２画素の上記第１サブ画素および上記第２サブ画素のうちの少なくとも１つのサブ画素が点灯し、
入力信号に示された上記第１画素および上記第２画素のそれぞれが上記ある有彩色を示すときの上記第１画素の上記第３サブ画素の輝度と上記第２画素の上記第３サブ画素の輝度との平均が、入力信号に示された上記第１画素および上記第２画素のそれぞれがある無彩色を示すときの上記第１画素の上記第３サブ画素の輝度と上記第２画素の上記第３サブ画素の輝度との平均と等しい場合、入力信号に示された上記第１画素および上記第２画素のそれぞれが上記ある有彩色を示すときの上記第１画素および上記第２画素のそれぞれの上記第３サブ画素の輝度は、入力信号に示された上記第１画素および上記第２画素のそれぞれが上記ある無彩色を示すときの上記第１画素および上記第２画素のそれぞれの上記第３サブ画素の輝度とは異なり、且つ、入力信号に示された上記第１画素および上記第２画素のそれぞれが上記ある有彩色を示すときの上記第１画素の上記第３サブ画素の輝度と上記第２画素の上記第３サブ画素の輝度との差は、入力信号に示された上記第１画素および上記第２画素のそれぞれが上記ある無彩色を示すときの上記第１画素の上記第３サブ画素の輝度と上記第２画素の上記第３サブ画素の輝度との差よりも小さい
ことを特徴とする請求項１から５の何れか１項に記載の表示装置。
【請求項７】
上記表示制御部により、上記表示部における視野角補正を上記第１の領域よりも強く設定した第２の領域において、
入力信号に示された上記第１画素および上記第２画素のそれぞれが上記ある有彩色を示すときの上記第１画素の上記第１サブ画素の輝度と上記第２画素の上記第１サブ画素の輝度とは互いに異なっており、
入力信号に示された上記第１画素および上記第２画素のそれぞれが上記ある無彩色を示すときの上記第１画素の上記第１サブ画素の輝度と上記第２画素の上記第１サブ画素の輝度とは互いに異なっている
ことを特徴とする請求項６に記載の表示装置。
【請求項８】
上記表示制御部により、上記表示部における視野角補正を上記第２の領域よりも強く設定した第３の領域において、
入力信号に示された上記第１画素および上記第２画素のそれぞれが上記ある有彩色を示すときの上記第１画素の上記第２サブ画素の輝度と上記第２画素の上記第２サブ画素の輝度とは互いに異なっており、
入力信号に示された上記第１画素および上記第２画素のそれぞれが上記ある無彩色を示すときの上記第１画素の上記第２サブ画素の輝度と上記第２画素の上記第２サブ画素の輝度とは互いに異なっている
ことを特徴とする請求項７に記載の表示装置。
【請求項９】
上記第１サブ画素は赤サブ画素であり、 
上記第２サブ画素は緑サブ画素であり、 
上記第３サブ画素は青サブ画素である
ことを特徴とする請求項６から８の何れか１項に記載の表示装置。
【請求項１０】
入力信号示された上記第１画素および上記第２画素のそれぞれが上記ある有彩色を示すときの上記第１画素および上記第２画素のそれぞれの上記青サブ画素の階調レベルは、上記第１画素および上記第２画素のそれぞれの上記赤サブ画素の階調レベルよりも高く、且つ、上記第１画素および上記第２画素のそれぞれの上記緑サブ画素の階調レベルよりも高く、
入力信号に示された上記第１画素および上記第２画素のそれぞれが上記ある無彩色を示すときの上記第１画素および上記第２画素のそれぞれの上記赤サブ画素の階調レベルと上記第１画素および上記第２画素のそれぞれの上記緑サブ画素の階調レベルと、上記第１画素および上記第２画素のそれぞれの上記青サブ画素の階調レベルとは、互いに等しい、
ことを特徴とする請求項９に記載の表示装置。
【請求項１１】
請求項１から１０の何れか１項に記載の表示装置を備えていることを特徴とするテレビジョン受像機。
【発明の詳細な説明】
【技術分野】
【０００１】
本発明は表示装置およびこの表示装置を備えるテレビジョン受像機に関する。
【背景技術】
【０００２】
現在、液晶テレビは８Ｋなどの高精細化、パネルの広色域化、高輝度化による高画質化が進行している。
【０００３】
例えば、特許文献１には以下の内容が記載されている。隣接する複数の画素のＲＧＢ値を変化させることで、視野角を改善する際、色相によって、ＲＧＢそれぞれの係数を変える。また、同特許文献１には輪郭の品位低下を防ぐために係数を変えることが記載されている。
【先行技術文献】
【特許文献】
【０００４】
【特許文献１】国際公開ＷＯ２０１０／０７３６９３号（２０１０年７月１日公開）
【発明の概要】
【発明が解決しようとする課題】
【０００５】
表示装置に接近して視聴する場合や、表示パネルが大型の場合には、視線が画面の中央部に向いている場合と、視線が画面の周辺部に向いている場合とで、視野角が異なり得るため、従来の視野角補正技術では十分ではなく、より自由度の高い視野角補正技術が望まれていた。
【０００６】
本発明の一態様は、従来に比べて自由度の高い視野角補正技術を提供することを目的とする。
【課題を解決するための手段】
【０００７】
上記の課題を解決するために、本発明の一態様に係る表示装置は、表示部と、表示制御部とを備えている表示装置であって、上記表示制御部は、上記表示部における表示位置に応じて、視野角補正の度合いを切り替える。
【発明の効果】
【０００８】
本発明の一態様によれば、表示装置の表示部における表示位置に応じて、視野角補正の度合いを切り替えるので、より自由度の高い視野角補正技術を提供することができる。
【図面の簡単な説明】
【０００９】
【図１】本発明の実施形態１に係る表示装置の構成を示すブロック図である。
【図２】図１に示す表示装置全体の正面図である。
【図３】図１に示す表示装置における表示制御部により表示部における表示位置に応じて視野角補正の度合いを切り替える一つの制御例を示す模式図である。
【図４】（ａ）は図１に示す表示装置の模式図であり、（ｂ）は（ａ）に示す表示装置における表示部を示す模式図である。
【図５】（ａ）は図１に示す表示装置において各画素の構成を示す模式図であり、（ｂ）は表示部のアクティブマトリクス基板を示す回路図である。
【図６】図４に示す表示装置における表示部の色度図である。
【図７】（ａ）〜（ｃ）は図４に示す表示装置を概略的に説明するための模式図である。
【図８】（ａ）および（ｂ）は比較例１の液晶表示装置における液晶表示パネルを示す模式図であり、（ｃ）は比較例１の液晶表示装置において基準階調レベルに対する斜め階調の変化を示すグラフである。
【図９】（ａ）および（ｂ）は比較例２の液晶表示装置における液晶表示パネルを示す模式図であり、（ｃ）は比較例２の液晶表示装置において基準階調レベルに対する斜め階調の変化を示すグラフである。
【図１０】（ａ）および（ｂ）は図４に示す表示装置における表示部を示す模式図であり、（ｃ）は図４に示す表示装置において基準階調レベルに対する斜め階調の変化を示すグラフである。
【図１１】図４に示す表示装置における青補正部の構成を示す模式図である。
【図１２】（ａ）は階調差レベルを示すグラフであり、（ｂ）は表示部に入力される階調レベルを示すグラフである。
【図１３】（ａ）は図４に示す表示装置における表示部の色相を示す模式図であり、（ｂ）はある場合の青サブ画素の階調レベルの変化を示すグラフであり、（ｃ）は別の場合の青サブ画素の階調レベルの変化を示すグラフである。
【図１４】（ａ）は色相係数Ｈｂ＝１の場合の補正された階調レベルを示すグラフであり、（ｂ）は（ａ）に示した場合の斜め階調の変化を示すグラフであり、（ｃ）は色相係数Ｈｂ＝０．５の場合の補正された階調レベルを示すグラフであり、（ｄ）は（ｃ）に示した場合の斜め階調の変化を示すグラフである。
【図１５】図４に示す表示装置において基準階調レベルに対する斜め階調の変化を示すグラフである。
【図１６】（ａ）は図４に示す表示装置において青サブ画素の階調レベルの補正を行う場合の表示部の色相を示す模式図であり、（ｂ）は色相係数Ｈｂ＝０の場合の青サブ画素の階調レベルの変化を示すグラフであり、（ｃ）は色相係数Ｈｂ＝１の場合の青サブ画素の階調レベルの変化を示すグラフである。
【図１７】（ａ）は図４に示す表示装置において赤サブ画素の階調レベルの補正を行う場合の表示部の色相を示す模式図であり、（ｂ）は色相係数Ｈｒ＝０の場合の赤サブ画素の階調レベルの変化を示すグラフであり、（ｃ）は色相係数Ｈｒ＝１の場合の赤サブ画素の階調レベルの変化を示すグラフである。
【図１８】（ａ）は図４に示す表示装置において赤および青サブ画素の階調レベルの補正を行う場合の表示部の色相を示す模式図であり、（ｂ）は色相係数Ｈｒ＝０、Ｈｂ＝０の場合の赤および青サブ画素の階調レベルの変化を示すグラフであり、（ｃ）は色相係数Ｈｒ＝０、Ｈｂ＝１の場合の赤および青サブ画素の階調レベルの変化を示すグラフであり、（ｄ）は色相係数Ｈｒ＝１、Ｈｂ＝０の場合の赤および青サブ画素の階調レベルの変化を示すグラフであり、（ｅ）は色相係数Ｈｒ＝１、Ｈｂ＝１の場合の赤および青サブ画素の階調レベルの変化を示すグラフである。
【図１９】図４に示す表示装置において、隣接する画素に属する青サブ画素の階調レベルが異なる場合の輝度レベルの変化を示す模式図である。
【図２０】図３に示す制御例の変形例を示す模式図である。
【図２１】本発明の実施形態２に係る表示装置のブロック図である。
【図２２】本発明の実施形態３に係る表示装置のブロック図である。
【発明を実施するための形態】
【００１０】
〔実施形態１〕
以下、本発明の実施形態１について、図１〜図２０に基づいて詳細に説明する。
【００１１】
（表示装置の概略構成）
以下、表示装置の概略構成について、図１〜図２、および図４に基づいて説明する。図１は、本実施形態１に係る表示装置１の構成を示すブロック図である。図２は、図１に示す表示装置１全体の正面図である。図４（ａ）は、図１に示す表示装置の模式図であり、（ｂ）は（ａ）に示す表示装置１における表示部１１を示す模式図である。一例として、表示装置１は、例えばテレビジョン受像機が備えている表示装置であってもよい。
【００１２】
図１〜図２、および図４に示すように、表示装置１は、表示部１１と、表示制御部１０とを備えている。表示制御部１０は、表示部１１における表示位置に応じて、視野角補正の度合いを切り替える。後述するように、表示制御部１０は、補正部３００Ａをさらに備えている。
【００１３】
上記の構成によれば、表示装置の表示部における表示位置に応じて、視野角補正の度合いを切り替えることできる。
【００１４】
（制御例）
以下、表示制御部１０による制御例について、図３に基づいて説明する。図３は、図１に示す表示装置１における表示制御部１０により表示部１１における表示位置に応じて視野角補正の度合いを切り替える一つの制御例を示す模式図である。
【００１５】
具体的には、表示制御部１０は、表示部１１における表示領域を、中央側から周辺側に向けて複数の領域に分割し、周辺側の領域ほど、視野角補正の度合いを強くしてもよい。より詳細には、図３の例示では、表示制御部１０は、表示部１１における表示領域を、中央側から周辺側に向けて領域１１ａ、領域１１ｂ（第１の領域）、領域１１ｃ（第２の領域）、および領域１１ｄ（第３の領域）に分割した。
【００１６】
更に詳しくは、表示領域の分割数が１７×１３（２２１分割）の場合、表示部１１の中心部に位置する領域１１ａは、視聴者は画面にほぼ正対する、つまり画面に対する角度がほぼゼロ度であるので、視野角を広げる必要はない。そのため、視野角補正をＯＦＦとする。
【００１７】
次に、領域１１ａに近い領域１１ｂは、視聴者にとって画面に対する角度が領域１１ａよりも大きくなるので、液晶の階調特性の劣化が若干発生するので視野角補正の度合いをかなり弱めの設定とする。領域１１ｃは領域１１ｂよりも視聴者にとって画面に対する角度が領域１１ｂよりも大きくなるので、液晶の階調特性の劣化がさらに大きくなるため少し強めの設定とする。換言すれば、領域１１ｃは、領域１１ｂよりも視野角補正を強く設定する。領域１１ｄは視聴者にとって画面に対する角度が領域１１ｃよりも大きくなるので、液晶の階調特性の劣化がさらに大きくなるので視野角補正の度合いを強めの設定とする。換言すれば、領域１１ｄは、領域１１ｃよりも視野角補正を強く設定する。
【００１８】
詳しくは、図３に示すように、領域１１ａは、表示制御部１０により表示部１１における表示領域の中心部に配置され、領域１１ｂは、表示制御部１０により領域１１ａの周辺部に配置され、領域１１ｃは、表示制御部１０により領域１１ｂの周辺部に配置され、領域１１ｄは、表示制御部１０により領域１１ｃの周辺部である、表示部１１における表示領域の隅部に配置されている。
【００１９】
上記の構成によれば、視聴者にとって、表示部１１における中心部に位置する領域１１ａは視野角補正を行わなくても粒状感が発生せず、解像度が優れた映像を視聴することが可能となり、周辺側に位置する領域１１ｃ、および領域１１ｄについても視野角補正を行うことで視野角特性を改善することが可能となる。
【００２０】
視野角補正の度合いの一例として、例えば以下の設定が考えられる。すなわち、領域１１ａについて表示制御部１０により視野角補正をＯＦＦとし、領域１１ｂについて表示制御部１０により視野角補正を青サブ画素（第３サブ画素）のみで実施し、領域１１ｃについて表示制御部１０により視野角補正を赤サブ画素（第１サブ画素）および青サブ画素（第３サブ画素）で実施し、領域１１ｄについて表示制御部１０により視野角補正を赤サブ画素（第１サブ画素）、緑サブ画素（第２サブ画素）および青サブ画素（第３サブ画素）すべてで実施する。また、各サブ画素について以下に詳細に説明する。
【００２１】
ここで、領域１１ｂにおいて、視野角補正の度合いは弱いが粒状感等が発生し難い。また、領域１１ｂにおいて、領域１１ｂよりも視野角補正の度合いは強いが後述の領域１１ｄよりは弱い領域１１ｂと領域１１ｄとの間の設定となる。さらに、領域１１ｄにおいて、視野角補正の度合いは強いが、粒状感等が発生しやすい。
【００２２】
以下、引き続き本実施形態１に係る表示装置を説明する。図４（ａ）に、本実施形態の表示装置１の模式図を示す。上述したように、表示装置１は、表示部１１と、表示制御部１０とを備えている。表示制御部１０は、補正部３００Ａをさらに備えている。表示部１１は複数の行および複数の列のマトリクス状に配列された複数の画素を含んでいる。ここでは、表示部１１において画素は赤、緑および青サブ画素を有している。
【００２３】
補正部３００Ａは必要に応じて入力信号に示された赤、緑および青サブ画素のうちの少なくとも１つの階調レベルまたは対応する輝度レベルの補正を行う。ここでは、補正部３００Ａは、赤補正部３００ｒ、緑補正部３００ｇおよび青補正部３００ｂを有している。
【００２４】
例えば、赤補正部３００ｒは、入力信号に示された赤、緑および青サブ画素の階調レベルｒ、ｇ、ｂに基づいて入力信号に示された赤サブ画素の階調レベルｒを階調レベルｒ’に補正する。また、緑補正部３００ｇは、入力信号に示された赤、緑および青サブ画素の階調レベルｒ、ｇ、ｂに基づいて入力信号に示された緑サブ画素の階調レベルｇを階調レベルｇ’に補正する。同様に、青補正部３００ｂは、入力信号に示された赤、緑および青サブ画素の階調レベルｒ、ｇ、ｂに基づいて入力信号に示された青サブ画素の階調レベルｂを階調レベルｂ’に補正する。なお、補正部３００Ａから出力される階調レベルｒ’、ｇ’およびｂ’のうちの少なくとも１つが、補正部３００Ａに入力された入力信号に示された階調レベルｒ、ｇ、ｂと等しいこともある。
【００２５】
入力信号は、例えば、ガンマ値２．２のＮＴＳＣ（Ｎａｔｉｏｎａｌ ＴｅｌｅｖｉｓｉｏｎＳｔａｎｄａｒｄｓ Ｃｏｍｍｉｔｔｅｅ）規格に準拠している。一般に、入力信号に示された階調レベルｒ、ｇ、ｂは８ビットで表記される。あるいは、この入力信号は、赤、緑および青サブ画素の階調レベルｒ、ｇおよびｂに変換可能な値を有しており、この値は３次元で表される。図４（ａ）では、入力信号の階調レベルｒ、ｇ、ｂをまとめてｒｇｂと示している。なお、入力信号がＢＴ．７０９規格に準拠している場合、入力信号に示された階調レベルｒ、ｇおよびｂは、それぞれ最低階調レベル（例えば、階調レベル０）から最高階調レベル（例えば、階調レベル２５５）までの範囲内にあり、赤、緑および青サブ画素の輝度は「０」から「１」の範囲内にある。入力信号は例えば、ＹＣｒＣｂ信号である。入力信号に示された階調レベルｒｇｂは補正部３００Ａを介して入力された表示部１１において輝度レベルに変換され、輝度レベルに応じた電圧が表示部１１の液晶層２６０（図４（ｂ））に印加される。
【００２６】
３原色の表示装置において赤、緑および青サブ画素の階調レベルまたは輝度レベルがゼロの場合に画素は黒を表示し、赤、緑および青サブ画素の階調レベルまたは輝度レベルが１の場合に画素は白を表示する。また、後述するように、表示装置では、独立ガンマ補正処理が行われてもよいが、独立ガンマ補正処理が行われない表示装置では、ＴＶセットで所望の色温度に調整した後の赤、緑および青サブ画素の最高輝度を「１」とした時、無彩色を表示する場合、赤、緑および青サブ画素の階調レベルまたは輝度レベルの最高輝度の比は互いに等しい。このため、画素によって表示される色が黒から無彩色を維持したまま白に変化する場合、赤、緑および青サブ画素の階調レベルまたは輝度レベルの最高輝度の比は互いに等しいまま増加する。なお、以下の説明では、液晶表示パネルにおける各サブ画素の輝度が最低階調レベルに対応する最低輝度である場合、各サブ画素は非点灯であるともいい、各サブ画素の輝度が最低輝度よりも高い輝度である場合、各サブ画素は点灯しているともいう。
【００２７】
図４（ｂ）に、表示部１１の模式図を示す。表示部１１は、絶縁基板２２２上に設けられた画素電極２２４および配向膜２２６を有するアクティブマトリクス基板２２０と、絶縁基板２４２上に設けられた対向電極２４４および配向膜２４６を有する対向基板２４０と、アクティブマトリクス基板２２０と対向基板２４０との間に設けられた液晶層２６０とを備えている。アクティブマトリクス基板２２０および対向基板２４０には図示しない偏光板が設けられており、偏光板の透過軸はクロスニコルの関係を有している。また、アクティブマトリクス基板２２０には図示しない配線および絶縁層等が設けられており、対向基板２４０には図示しないカラーフィルタ層等が設けられている。液晶層２６０の厚さはほぼ一定である。表示部１１には、複数の画素が複数の行および複数の列のマトリクス状に配列されている。画素は画素電極２２４によって規定されており、赤、緑および青サブ画素は画素電極２２４の分割されたサブ画素電極によって規定される。
【００２８】
表示部１１は、例えばＶＡモードで動作する。配向膜２２６、２４６は垂直配向膜である。液晶層２６０は垂直配向型の液晶層である。ここで、「垂直配向型液晶層」とは、垂直配向膜２２６、２４６の表面に対して、液晶分子軸（「軸方位」ともいう。）が約８５°以上の角度で配向した液晶層をいう。液晶層２６０は負の誘電異方性を有するネマチック液晶材料を含んでおり、クロスニコル配置された偏光板と組み合わせて、ノーマリーブラックモードで表示が行われる。液晶層２６０に電圧が印加されない場合、液晶層２６０の液晶分子２６２は配向膜２２６、２４６の主面の法線方向とほぼ平行に配向する。液晶層２６０に所定の電圧よりも高い電圧が印加される場合、液晶層２６０の液晶分子２６２は配向膜２２６、２４６の主面とほぼ平行に配向する。また、液晶層２６０に高い電圧が印加される場合、液晶分子２６２はサブ画素内またはサブ画素の特定の領域内で対称的に配向し、これにより、視野角特性の改善が図られる。なお、ここでは、アクティブマトリクス基板２２０および対向基板２４０は配向膜２２６、２４６をそれぞれ有していたが、アクティブマトリクス基板２２０および対向基板２４０の少なくとも一方が対応する配向膜２２６、２４６を有していてもよい。ただし、配向の安定性の観点から、アクティブマトリクス基板２２０および対向基板２４０の両方が配向膜２２６、２４６をそれぞれ有していることが好ましい。
【００２９】
図５（ａ）に、表示部１１に設けられた画素および画素に含まれるサブ画素の配列を示す。図５（ａ）には、例示として、３行３列の画素を示している。各画素には、３つのサブ画素、すなわち、赤サブ画素Ｒ、緑サブ画素Ｇ、青サブ画素Ｂが行方向に沿って配列されている。各サブ画素の輝度は独立に制御可能である。なお、表示部１１のカラーフィルタの配列は図５（ａ）に示した構成に対応している。
【００３０】
以下の説明において、便宜上、最低階調レベル（例えば、階調レベル０）に対応するサブ画素の輝度レベルを「０」と表し、最高階調レベル（例えば、階調レベル２５５）に対応するサブ画素の輝度レベルを「１」と表す。輝度レベルが等しくても、赤、緑および青サブ画素の実際の輝度は異なり、輝度レベルは、各サブ画素の最高輝度に対する比を示している。例えば、入力信号において画素が黒を示す場合、入力信号に示された階調レベルｒ、ｇ、ｂのすべてが最低階調レベル（例えば、階調レベル０）であり、また、入力信号において画素が白を示す場合、階調レベルｒ、ｇ、ｂのすべてが最高階調レベル（例えば、階調レベル２５５）である。また、以下の説明において、階調レベルを最高階調レベルで規格化し、階調レベルを「０」から「１」の範囲で示すこともある。
【００３１】
図５（ｂ）に、表示装置１における１つの画素の等価回路図を示す。青サブ画素Ｂに対応するサブ画素電極２２４ｂにはＴＦＴ２３０が接続されている。ＴＦＴ２３０のゲ−ト電極はゲート配線Ｇａｔｅに接続され、ソース電極はソース配線Ｓｂに接続されている。同様に、赤サブ画素Ｒおよび緑サブ画素Ｇも同様の構成を有している。
【００３２】
図６に、表示部１１の色度図を示す。例えば、赤サブ画素の階調レベルが最高階調レベルであり、緑および青サブ画素の階調レベルが最低階調レベルである場合、表示部１１は図６におけるＲの色度を示す。また、緑サブ画素の階調レベルが最高階調レベルであり、赤および青サブ画素の階調レベルが最低階調レベルである場合、表示部１１は図６におけるＧの色度を示す。同様に、青サブ画素の階調レベルが最高階調レベルであり、赤および緑サブ画素の階調レベルが最低階調レベルである場合、表示部１１は図６におけるＢの色度を示す。表示装置１の色再現範囲は図６におけるＲ、ＧおよびＢを頂点とする三角形で示される。
【００３３】
以下、図４および図７を参照して、本実施形態の表示装置１を概略的に説明する。なお、ここでは、説明を簡略化する目的で、入力信号において全ての画素が同じ色を示すものとする。また、入力信号における各サブ画素の階調レベルをｒ、ｇ、ｂと示し、それぞれを基準階調レベルと呼ぶことがある。
【００３４】
図７（ａ）、図７（ｂ）および図７（ｃ）に、表示装置１における表示部１１を示す。図７（ａ）では、入力信号において全ての画素は同じ無彩色を示し、図７（ｂ）および図７（ｃ）では、入力信号において全ての画素は同じ有彩色を示す。
【００３５】
なお、図７（ａ）、図７（ｂ）および図７（ｃ）のそれぞれにおいて、行方向に隣接する２つの画素に着目し、その一方の画素をＰ１と示し、画素Ｐ１に属する赤、緑および青サブ画素をそれぞれＲ１、Ｇ１およびＢ１と示す。また、他方の画素をＰ２と示し、画素Ｐ２に属する赤、緑および青サブ画素をそれぞれＲ２、Ｇ２およびＢ２と示す。
【００３６】
まず、図７（ａ）を参照して、入力信号に示された色が無彩色である場合の表示部１１を説明する。なお、入力信号に示された色が無彩色である場合、赤、緑および青サブ画素の階調レベルは互いに等しい。
【００３７】
図４（ａ）に示した赤補正部３００ｒ、緑補正部３００ｇ、および、青補正部３００ｂが補正を行うことにより、表示部１１において、隣接する２つの画素のうち一方の画素Ｐ１に属する赤、緑および青サブ画素Ｒ１、Ｇ１、Ｂ１の輝度は、他方の画素Ｐ２に属する赤、緑および青サブ画素Ｒ２、Ｇ２、Ｂ２の輝度とは異なる。なお、図７（ａ）では、行方向に沿って隣接するサブ画素に着目すると、明暗は反転しており、さらに列方向に沿って隣接するサブ画素に着目すると、明暗は反転している。また、行方向に沿って隣接する画素に属するサブ画素（例えば、赤サブ画素）に着目すると、明暗は反転しており、さらに列方向に沿って隣接する画素に属するサブ画素（例えば、赤サブ画素）の明暗も反転している。
【００３８】
赤補正部３００ｒは、隣接する２つの画素に属する赤サブ画素を１単位として赤サブ画素の輝度の調整を行う。このため、入力信号において隣接する２つの画素に属する赤サブ画素の階調レベルが等しい場合であっても、表示部１１において当該２つの赤サブ画素の輝度が異なるように階調レベルの補正が行われる。この補正により、隣接する２つの画素に属する赤サブ画素のうちの一方の赤サブ画素の輝度はシフト量ΔＳαだけ増加し、他方の赤サブ画素の輝度はシフト量ΔＳβだけ減少する。したがって、隣接する画素に属する赤サブ画素の輝度は互いに異なる。同様に、緑補正部３００ｇは、隣接する２つの画素に属する緑サブ画素を１単位として緑サブ画素の輝度の調整を行い、また、青補正部３００ｂは、隣接する２つの画素に属する青サブ画素を１単位として青サブ画素の輝度の調整を行う。
【００３９】
なお、隣接する２つの画素に属するサブ画素のうち、高輝度のサブ画素を明サブ画素と呼び、低輝度のサブ画素を暗サブ画素と呼ぶ。明サブ画素の輝度は基準階調レベルに対応する輝度よりも高く、暗サブ画素の輝度は基準階調レベルに対応する輝度よりも低い。また、隣接する２つの画素に属する赤、緑および青サブ画素のうち、高輝度のサブ画素を明赤サブ画素、明緑サブ画素および明青サブ画素とそれぞれ呼び、低輝度のサブ画素を暗赤サブ画素、暗緑サブ画素および暗青サブ画素と呼ぶ。例えば、画素Ｐ１に属する赤サブ画素Ｒ１および青サブ画素Ｂ１は明サブ画素であり、画素Ｐ１に属する緑サブ画素Ｇ１は暗サブ画素である。また、画素Ｐ２に属する赤サブ画素Ｒ２および青サブ画素Ｂ２は暗サブ画素であり、画素Ｐ２に属する緑サブ画素Ｇ２は明サブ画素である。
【００４０】
また、例えば、正面方向から見た場合、赤、緑および青サブ画素のそれぞれについて、明サブ画素の輝度と基準階調レベルに対応する輝度との差は、基準階調レベルに対応する輝度と暗サブ画素の輝度との差と略等しく、理想的には、シフト量ΔＳαはシフト量ΔＳβと等しい。このため、表示部１１における隣接する２つの画素に属するサブ画素の輝度の正面方向の平均は、入力信号に示された隣接する２つのサブ画素の階調レベルに対応する輝度の平均と略等しい。ここでは、赤補正部３００ｒ、緑補正部３００ｇおよび青補正部３００ｂは、行方向に隣接する２つの画素に属するサブ画素の階調レベルに対して補正を行っている。
【００４１】
このように赤補正部３００ｒ、緑補正部３００ｇおよび青補正部３００ｂが補正を行う場合、隣接する２つの画素のサブ画素は異なる階調−輝度特性（すなわち、ガンマ特性）を有することになり、視野角特性が改善される。この場合、厳密にみると、隣接する２つの画素によって表示される色は異なるが、表示部１１の解像度が十分に高ければ、人間の眼には、隣接する２つの画素によって表示される色の平均の色が認識される。
【００４２】
例えば、入力信号に示される赤、緑および青サブ画素の階調レベル（ｒ，ｇ，ｂ）が（１００，１００，１００）である場合、表示装置１では、各サブ画素の階調レベルの補正が行われ、各サブ画素の階調レベルは階調レベル１３７（＝（２×（１００／２５５）2.2）1/2.2×２５５）または０となる。このため、表示部１１において、画素Ｐ１に属する赤、緑および青サブ画素Ｒ１、Ｇ１、Ｂ１は、階調レベル（１３７，０，１３７）に相当する輝度を呈し、画素Ｐ２に属する赤、緑および青サブ画素Ｒ２、Ｇ２、Ｂ２は、階調レベル（０，１３７，０）に相当する輝度を呈する。
【００４３】
次に、図７（ｂ）を参照して、入力信号が有彩色を示す場合の表示部１１を説明する。ここでは、入力信号に示される青サブ画素の階調レベルは入力信号に示される赤および緑サブ画素の階調レベルよりも高い。
【００４４】
例えば、入力信号に示される赤、緑および青サブ画素の階調レベルが（５０，５０，１００）である場合、表示装置１では、赤および緑サブ画素の階調レベルの補正が行われ、赤および緑サブ画素の階調レベルは階調レベル６９（＝（２×（５０／２５５）2.2）1/2.2×２５５）または０となる。このため、明赤サブ画素および明緑サブ画素は点灯するものの、暗赤サブ画素および暗緑サブ画素は非点灯である。一方、青サブ画素の階調レベルの補正は赤および緑サブ画素とは異なるように行われる。具体的には、入力信号に示された青サブ画素の階調レベル１００は、階調レベル１２１または７４に補正される。なお、２×（１００／２５５）2.2＝（１２１／２５５）2.2＋（７４／２５５）2.2である。このため、明青サブ画素および暗青サブ画素はいずれも点灯する。以上から、表示部１１における画素Ｐ１に属する赤、緑および青サブ画素Ｒ１、Ｇ１、Ｂ１は、階調レベル（６９，０，１２１）に相当する輝度を呈し、画素Ｐ２に属する赤、緑および青サブ画素Ｒ２、Ｇ２、Ｂ２は、階調レベル（０，６９，７４）に相当する輝度を呈する。
【００４５】
表示装置１では、入力信号がある有彩色を示す場合の青サブ画素の階調レベルの補正は入力信号が無彩色を示す場合の青サブ画素の階調レベルの補正とは異なる。仮に、入力信号に示される赤、緑および青サブ画素の階調レベルが（５０，５０，１００）である場合に青サブ画素の階調レベルの補正が無彩色の場合と同様に行われたとすると、斜め方向からの色度と正面からの色度との差（色度差）はΔｕ’ｖ’＝０．０４７となる。このように、色度差Δｕ’ｖ’が比較的大きいと、斜め方向からの色は正面からの色とは異なるように見えることになる。これに対して、表示装置１では、有彩色の場合の青サブ画素の階調レベルの補正は無彩色の場合とは異なるように行われており、斜め方向からの色度と正面からの色度との差はΔｕ’ｖ’＝０．０２６となる。このように、表示装置１では、色度差Δｕ’ｖ’を抑制することができ、カラーシフトを抑制することができる。なお、図７（ｂ）を参照した説明では、入力信号が有彩色を示す場合に青サブ画素の輝度が異なるように補正が行われたが、青サブ画素の輝度は等しくてもよい。
【００４６】
次に、図７（ｃ）を参照して、入力信号に示された色が別の有彩色である場合の表示部１１を説明する。例えば、入力信号に示される赤、緑および青サブ画素の階調レベルが（０，０，１００）である場合、表示装置１では、赤および緑サブ画素の階調レベルは変化せず、赤および緑サブ画素は、階調レベル０に相当する輝度を呈する。また、表示装置１では、青サブ画素の階調レベルの変化は無彩色の場合とは異なるように行われる。具体的には、青サブ画素の階調レベルは変化せず、青サブ画素の階調レベルは入力信号に示された階調レベル１００に相当する輝度を呈する。このため、表示部１１における画素Ｐ１に属する赤、緑および青サブ画素Ｒ１、Ｇ１、Ｂ１は、階調レベル（０，０，１００）に相当する輝度を呈し、画素Ｐ２に属する赤、緑および青サブ画素Ｒ２、Ｇ２、Ｂ２も、階調レベル（０，０，１００）に相当する輝度を呈する。
【００４７】
以上のように、表示部１１は、互いに隣接する第１画素及び第２画素を含む複数の画素を備えており、上記複数の画素のそれぞれは、第１サブ画素（赤サブ画素）、第２サブ画素（緑サブ画素）、及び第３サブ画素（青サブ画素）を含む複数のサブ画素を有している。
【００４８】
また、本実施形態に係る表示装置１では、本明細書に記載の構成を利用し、表示制御部（補正部３００Ａ）により、表示部１１における視野角補正有りとした第１の領域において、第３のサブ画素を利用した視野角補正を実施する。
【００４９】
より具体的には、表示制御部（補正部３００Ａ）により、表示部１１における視野角補正有りとした第１の領域において、入力信号に示された上記第１画素および上記第２画素のそれぞれがある有彩色を示す場合、上記第１画素および上記第２画素のうちの少なくとも一方の上記第３サブ画素が点灯し、上記第１画素の上記第１サブ画素および上記第２サブ画素ならびに上記第２画素の上記第１サブ画素および上記第２サブ画素のうちの少なくとも１つのサブ画素が点灯し、入力信号に示された上記第１画素および上記第２画素のそれぞれが上記ある有彩色を示すときの上記第１画素の上記第３サブ画素の輝度と上記第２画素の上記第３サブ画素の輝度との平均が、入力信号に示された上記第１画素および上記第２画素のそれぞれがある無彩色を示すときの上記第１画素の上記第３サブ画素の輝度と上記第２画素の上記第３サブ画素の輝度との平均と等しい場合、入力信号に示された上記第１画素および上記第２画素のそれぞれが上記ある有彩色を示すときの上記第１画素および上記第２画素のそれぞれの上記第３サブ画素の輝度は、入力信号に示された上記第１画素および上記第２画素のそれぞれが上記ある無彩色を示すときの上記第１画素および上記第２画素のそれぞれの上記第３サブ画素の輝度とは異なり、且つ、入力信号に示された上記第１画素および上記第２画素のそれぞれが上記ある有彩色を示すときの上記第１画素の上記第３サブ画素の輝度と上記第２画素の上記第３サブ画素の輝度との差は、入力信号に示された上記第１画素および上記第２画素のそれぞれが上記ある無彩色を示すときの上記第１画素の上記第３サブ画素の輝度と上記第２画素の上記第３サブ画素の輝度との差よりも小さくなうように制御する。
【００５０】
また、本実施形態に係る表示装置１では、本明細書に記載の構成を利用し、表示制御部（補正部３００Ａ）により、表示部１１における視野角補正を上記第１の領域よりも強く設定した第２の領域において、第３のサブ画素に加え、第１のサブ画素を更に利用した視野角補正を実施する。
【００５１】
より具体的には、表示制御部（補正部３００Ａ）により、上記第２の領域において、入力信号に示された上記第１画素および上記第２画素のそれぞれが上記ある有彩色を示すときの上記第１画素の上記第１サブ画素の輝度と上記第２画素の上記第１サブ画素の輝度とは互いに異なっており、入力信号に示された上記第１画素および上記第２画素のそれぞれが上記ある無彩色を示すときの上記第１画素の上記第１サブ画素の輝度と上記第２画素の上記第１サブ画素の輝度とは互いに異なっているように制御する。
【００５２】
また、本実施形態に係る表示装置１では、本明細書に記載の構成を利用し、表示制御部（補正部３００Ａ）により、表示部１１における視野角補正を上記第２の領域よりも強く設定した第３の領域において、第３のサブ画素。及び、第１のサブ画素に加え、第２のサブ画素を更に利用した視野角補正を実施する。
【００５３】
より具体的には、表示制御部（補正部３００Ａ）により、上記第３の領域において、入力信号に示された上記第１画素および上記第２画素のそれぞれが上記ある有彩色を示すときの上記第１画素の上記第２サブ画素の輝度と上記第２画素の上記第２サブ画素の輝度とは互いに異なっており、入力信号に示された上記第１画素および上記第２画素のそれぞれが上記ある無彩色を示すときの上記第１画素の上記第２サブ画素の輝度と上記第２画素の上記第２サブ画素の輝度とは互いに異なっているように制御する。
【００５４】
また、本実施形態に係る表示装置１では、本明細書に記載の構成を利用し、表示制御部（補正部３００Ａ）により、入力信号示された上記第１画素および上記第２画素のそれぞれが上記ある有彩色を示すときの上記第１画素および上記第２画素のそれぞれの上記青サブ画素の階調レベルは、上記第１画素および上記第２画素のそれぞれの上記赤サブ画素の階調レベルよりも高く、且つ、上記第１画素および上記第２画素のそれぞれの上記緑サブ画素の階調レベルよりも高く、入力信号に示された上記第１画素および上記第２画素のそれぞれが上記ある無彩色を示すときの上記第１画素および上記第２画素のそれぞれの上記赤サブ画素の階調レベルと上記第１画素および上記第２画素のそれぞれの上記緑サブ画素の階調レベルと、上記第１画素および上記第２画素のそれぞれの上記青サブ画素の階調レベルとは、互いに等しくなるように制御する。
【００５５】
以下、比較例１、２の液晶表示装置と比較して本実施形態の表示装置１の利点を説明する。なお、ここでは、説明が過度に複雑になることを避ける目的で、入力信号において全ての画素が同じ色を示すものとする。
【００５６】
まず、図８を参照して、比較例１の液晶表示装置を説明する。比較例１の液晶表示装置では、入力信号に示された各サブ画素の階調レベルにかかわらず階調レベルは変化しない。
【００５７】
図８（ａ）に、入力信号において各画素が無彩色を示す場合の比較例１の液晶表示装置における液晶表示パネルの模式図を示す。例えば、最高階調レベルを２５５として表記すると、入力信号に示される赤、緑および青サブ画素の階調レベルは（１００，１００，１００）である。
【００５８】
入力信号に示される赤、緑および青サブ画素の階調レベルが（１００，１００，１００）である場合、比較例１の液晶表示装置では、階調レベルは変化しないため、各サブ画素の輝度は階調レベル（１００，１００，１００）に対応する。
【００５９】
また、図８（ｂ）に、入力信号において各画素が同じ有彩色を示す場合の比較例１の液晶表示装置における液晶表示パネルの模式図を示す。例えば、最高階調レベルを２５５として表記すると、入力信号に示される赤、緑および青サブ画素の階調レベルは（５０，５０，１００）である。
【００６０】
また、入力信号における赤、緑および青サブ画素の階調レベルが（５０，５０，１００）である場合、階調レベルは変化しないため、各サブ画素の輝度は階調レベル（５０，５０，１００）に対応する。
【００６１】
図８（ｃ）に、比較例１の液晶表示装置において基準階調レベルに対する正面階調および斜め階調の変化を示す。正面階調および斜め階調は、それぞれの相対輝度を階調表記した相対階調レベルを示している。ここでは、斜め階調は画面の法線方向に対して６０°の角度からみた場合の相対階調レベルである。
【００６２】
正面階調は基準階調レベルに比例して変化するが、斜め階調は基準階調レベルの増加に対して単調増加するものの、低階調において基準階調レベルが増加するほど斜め階調は正面階調よりも比較的高くなり、白浮きが著しい。その後、基準階調レベルが増加するほど、斜め階調と正面階調との差は小さくなり、白浮きの程度が減少する。
【００６３】
図８（ｃ）において、比較例１の液晶表示装置における赤、緑および青サブ画素の階調レベルが１００である場合の斜め階調と正面階調との差をΔＲ１100、ΔＧ１100、ΔＢ１100と示しており、赤および緑サブ画素の基準階調レベルが５０である場合の斜め階調と正面階調との差をΔＲ１50、ΔＧ１50と示している。なお、一般に、無彩色を表示する場合の斜め方向からの色と正面からの色との差が小さくなるように設定されており、このΔＲ１100、ΔＧ１100、ΔＢ１100は互いに略等しい。また、比較例１の液晶表示装置では、ΔＲ１100、ΔＧ１100、ΔＢ１100、ΔＲ１50、ΔＧ１50は比較的大きく、白浮きの程度が大きい。
【００６４】
次に、比較例２の液晶表示装置を説明する。比較例２の液晶表示装置では、入力信号に示された赤、緑および青サブ画素の階調レベルのうち対応するサブ画素の階調レベルに基づいて補正を行うことにより、視野角特性の改善が行われている。
【００６５】
図９（ａ）に、入力信号において各画素が無彩色を示す場合の比較例２の液晶表示装置における液晶表示パネルの模式図を示す。例えば、最高階調レベルを２５５として表記すると、入力信号に示される赤、緑および青サブ画素の階調レベルは（１００，１００，１００）である。
【００６６】
入力信号に示される赤、緑および青サブ画素の階調レベルが（１００，１００，１００）である場合、比較例２の液晶表示装置では、赤、緑および青サブ画素の階調レベルの補正が行われ、各サブ画素は階調レベル１３７（＝（２×（１００／２５５）2.2）1/2.2×２５５）または０に対応する輝度を示す。この場合、比較例２の液晶表示装置における画素Ｐ１に属する赤、緑および青サブ画素Ｒ１、Ｇ１、Ｂ１は、階調レベル（１３７，０，１３７）に相当する輝度を呈し、画素Ｐ２に属する赤、緑および青サブ画素Ｒ２、Ｇ２、Ｂ２は、階調レベル（０，１３７，０）に相当する輝度を呈する。なお、比較例２の液晶表示装置では、行方向および列方向に隣接するサブ画素の明暗は反転しており、斜め方向に隣接する各サブ画素は等しい輝度を示す。また、異なる画素に属する同じ色を呈するサブ画素（例えば、赤サブ画素）に着目すると、行方向および列方向に隣接するサブ画素の明暗は反転しており、斜め方向に隣接するサブ画素は等しい輝度を示す。
【００６７】
また、図９（ｂ）に、入力信号において各画素が同じ有彩色を示す場合の比較例２の液晶表示装置における液晶表示パネルの模式図を示す。例えば、最高階調レベルを２５５として表記すると、入力信号に示される赤、緑および青サブ画素の階調レベルは（５０，５０，１００）である。
【００６８】
入力信号における赤、緑および青サブ画素の階調レベルが（５０，５０，１００）である場合、補正により、赤および緑サブ画素は階調レベル６９（＝（２×（５０／２５５）2.2）1/2.2×２５５）または０に対応する輝度を示し、青サブ画素は階調レベル１３７（＝（２×（１００／２５５）2.2）1/2.2×２５５）または０に対応する輝度を示す。したがって、比較例２の液晶表示装置における画素Ｐ１に属する赤、緑および青サブ画素Ｒ１、Ｇ１、Ｂ１は、階調レベル（６９，０，１３７）に相当する輝度を呈し、画素Ｐ２に属する赤、緑および青サブ画素Ｒ２、Ｇ２、Ｂ２は、階調レベル（０，６９，０）に相当する輝度を呈する。この場合も斜めからみたときの白浮きは抑制されている。
【００６９】
図９（ｃ）に、比較例２の液晶表示装置において基準階調レベルに対する正面階調および斜め階調の変化を示す。また、図９（ｃ）には、参考のために、図８（ｃ）に示した比較例１の液晶表示装置における斜め階調を破線で示している。比較例２の液晶表示装置における斜め階調は比較例１の液晶表示装置における斜め階調と比べて特に低階調から中間階調にわたって低い。このため、比較例２の液晶表示装置における白浮きは比較例１の液晶表示装置と比べて概ね抑制されている。
【００７０】
また、図９（ｃ）には、比較例２の液晶表示装置における赤、緑および青サブ画素の階調レベルが１００である場合、すなわち、赤サブ画素Ｒ１およびＲ２の輝度平均、緑サブ画素Ｇ１およびＧ２の輝度平均、ならびに、青サブ画素Ｂ１およびＢ２の輝度平均のそれぞれが階調レベル１００に相当する場合の斜め階調と正面階調との差をΔＲ２100、ΔＧ２100、ΔＢ２100と示しており、赤および緑サブ画素の基準階調レベルが５０の場合の斜め階調と正面階調との差をΔＲ２50、ΔＧ２50と示している。なお、一般に、無彩色を表示する場合の斜め方向からの色と正面からの色との差が小さくなるように設定されており、ΔＲ２100、ΔＧ２100、ΔＢ２100は互いに略等しい。また、図９（ｃ）には、参考のために、上述したΔＢ１100を示している。図９（ｃ）に示すように、ΔＢ２100はΔＢ１100よりも小さく、白浮きが抑制されていることが理解される。
【００７１】
しかしながら、ΔＢ２100はΔＲ２50、ΔＧ２50よりも小さいため、比較例２の液晶表示装置において、入力信号に示される赤、緑および青サブ画素の階調レベルが（５０，５０，１００）である場合、斜めからの色は正面からの色と比べて若干黄みを帯びてみえる。このように、比較例２の液晶表示装置では、有彩色を表示する際にカラーシフトが大きくなってしまう。
【００７２】
次に、図１０を参照して、本実施形態の表示装置１を説明する。本実施形態の表示装置１では、青サブ画素の階調レベルの補正を、青サブ画素の階調レベルだけでなく赤および緑サブ画素の階調レベルに基づいて行う点で比較例２の液晶表示装置とは異なる。
【００７３】
図１０（ａ）に、入力信号において各画素が無彩色を示す場合の表示装置１における表示部１１の模式図を示す。例えば、最高階調レベルを２５５として表記すると、入力信号に示される赤、緑および青サブ画素の階調レベルは（１００，１００，１００）である。
【００７４】
入力信号に示される赤、緑および青サブ画素の階調レベルが（１００，１００，１００）である場合、表示装置１では、補正により、赤、緑および青サブ画素は階調レベル１３７（＝（２×（１００／２５５）2.2）1/2.2×２５５）または０に対応する輝度を示す。したがって、表示装置１における画素Ｐ１に属する赤、緑および青サブ画素Ｒ１、Ｇ１、Ｂ１は、階調レベル（１３７，０，１３７）に相当する輝度を呈し、画素Ｐ２に属する赤、緑および青サブ画素Ｒ２、Ｇ２、Ｂ２は、階調レベル（０，１３７，０）に相当する輝度を呈する。この場合、斜めからみたときの白浮きは抑制されている。
【００７５】
また、図１０（ｂ）に、入力信号において各画素が同じ有彩色を示す場合の表示装置１における表示部１１の模式図を示す。例えば、入力信号に示される赤、緑および青サブ画素の階調レベルは（５０，５０，１００）である。
【００７６】
入力信号における赤、緑および青サブ画素の階調レベルが（５０，５０，１００）である場合、表示装置１では、赤および緑サブ画素の階調レベルの補正が行われ、サブ画素の階調レベルは階調レベル６９（＝（２×（５０／２５５）2.2）1/2.2×２５５）または０となる。一方、青サブ画素の階調レベルの補正は赤および緑サブ画素とは異なるように行われる。具体的には、青サブ画素の階調レベル１００は、階調レベル１２１または７４に補正される。なお、２×（１００／２５５）2.2＝（（１２１／２５５）2.2＋（７４／２５５）2.2）である。したがって、表示装置１における画素Ｐ１に属する赤、緑および青サブ画素Ｒ１、Ｇ１、Ｂ１は、階調レベル（６９，０，１２１）に相当する輝度を呈し、画素Ｐ２に属する赤、緑および青サブ画素Ｒ２、Ｇ２、Ｂ２は、階調レベル（０，６９，７４）に相当する輝度を呈する。
【００７７】
図１０（ｃ）に、表示装置１において基準階調レベルに対する斜め階調の変化を示す。また、図１０（ｃ）には、参考のために、図８（ｃ）に示した比較例１の液晶表示装置における斜め階調を破線で示し、図９（ｃ）に示した比較例２の液晶表示装置における斜め階調を実線で示す。
【００７８】
本実施形態の表示装置１では、図１０（ｂ）を参照して上述したように、入力信号における赤、緑および青サブ画素の階調レベルが（５０，５０，１００）である場合、青サブ画素の階調レベルの補正は赤および緑サブ画素とは異なるように行われ、青サブ画素の斜め階調の変化は赤および緑サブ画素とは異なる。図１０（ｃ）において、実線で示した赤および緑サブ画素における斜め階調と正面階調との差をそれぞれΔＲＡ50、ΔＧＡ50と示し、点線で示した青サブ画素における斜め階調と正面階調との差をΔＢＡ100と示す。また、図１０（ｃ）には、青サブ画素の基準階調レベルが１００の場合の比較例１の液晶表示装置における斜め階調と正面階調との差をΔＢ１100と示し、比較例２の液晶表示装置における斜め階調と正面階調との差をΔＢ２100と示している。
【００７９】
上述したように、比較例２の液晶表示装置では、例えば、入力信号における赤、緑および青サブ画素の階調レベルが（５０，５０，１００）である場合、ΔＢ２100がΔＲ２50、ΔＧ２50よりも小さいため、斜めからの色は正面からの色と比べて黄みを帯びて見える。これに対して、本実施形態の表示装置１における青サブ画素の階調レベル１２１、７４に対応する階調レベル差ΔＢＡ100は、比較例１の液晶表示装置における青サブ画素の階調レベル１００、１００に対応する階調レベル差ΔＢ１100よりも小さく、比較例２の液晶表示装置における青サブ画素の階調レベル１３７、０に対応する階調レベル差ΔＢ２100よりも大きいものであり、階調レベル差ΔＢＡ100は階調レベル差ΔＢ１100やΔＢ２100よりも階調レベル差ΔＲＡ50、ΔＧＡ50に近い。このため、表示装置１では、カラーシフトが抑制される。
【００８０】
また、例えば、入力信号における赤、緑および青サブ画素の階調レベルが（１５０，０，５０）である場合、比較例１の液晶表示装置における正面方向および斜め６０°方向のｘ、ｙ、Ｙ値および正面方向との色度差Δｕ’ｖ’を表１に示す。
【００８１】
【表１】
2020034876.tif 000003
【００８２】
例えば、入力信号における赤、緑および青サブ画素の階調レベルが（１５０，０，５０）である場合、本実施形態の表示装置１では、階調レベルｂ１’、ｂ２’は階調レベル６９および階調レベル０となる。この場合の正面方向および斜め６０°方向のｘ、ｙ、Ｙ値および正面方向との色度差Δｕ’ｖ’を表２に示す。
【００８３】
【表２】
2020034876.tif 000004
【００８４】
表１との比較から理解されるように、表示装置１では、斜め方向のカラーシフトが抑制される。なお、比較例２の液晶表示装置では、階調レベルｂ１’、ｂ２’が階調レベル６９および階調レベル０と補正されるのに加えて、青サブ画素と同様に赤サブ画素の階調レベルの補正が行われ、赤サブ画素の階調レベルｒ１’、ｒ２’は階調レベル２０５（＝（２×（１５０／２５５）2.2）1/2.2×２５５）および階調レベル０となる。この場合の正面方向および斜め６０°方向のｘ、ｙ、Ｙ値および正面方向との色度差Δｕ’ｖ’を表３に示す。
【００８５】
【表３】
2020034876.tif 000005
【００８６】
表１と表２との比較から理解されるように、比較例２の液晶表示装置では、各サブ画素の補正がその階調レベルのみに基づいて行われることにより、本実施形態の表示装置１と比べて斜め方向のカラーシフトが増大してしまう。以上から、各サブ画素の補正を色相などに基づいて行うことにより、カラーシフトを抑制することができる。
【００８７】
以下、図１１および図１２を参照して、青補正部３００ｂを説明する。図１１に、青補正部３００ｂの模式図を示す。図１１において、入力信号に示された階調レベルｒ１、ｇ１、ｂ１は図１０（ａ）および図１０（ｂ）に示した画素Ｐ１に属する各サブ画素Ｒ１、Ｇ１、Ｂ１に相当するものであり、入力信号に示された階調レベルｒ２、ｇ２、ｂ２は画素Ｐ２に属する各サブ画素Ｒ２、Ｇ２、Ｂ２に相当するものである。なお、階調レベルｒ１、ｒ２の補正を行う赤補正部３００ｒおよび階調レベルｇ１、ｇ２の補正を行う緑補正部３００ｇは階調レベルｂ１およびｂ２の補正を行う青補正部３００ｂと同様の構成を有しており、ここではその詳細を省略する。
【００８８】
まず、加算部３１０ｂを用いて階調レベルｂ１と階調レベルｂ２の平均が求められる。以下の説明において、階調レベルｂ１およびｂ２の平均を平均階調レベルｂaveと示す。次に、階調差レベル部３２０は、１つの平均階調レベルｂaveに対して２つの階調差レベルΔｂα、Δｂβを与える。階調差レベルΔｂαは明青サブ画素に対応しており、階調差レベルΔｂβは暗青サブ画素に対応している。
【００８９】
このように、階調差レベル部３２０では平均階調レベルｂaveに対応して２つの階調差レベルΔｂα、Δｂβが与えられる。平均階調レベルｂaveおよび階調差レベルΔｂα、Δｂβは、例えば、図１２（ａ）に示す所定の関係を有している。平均階調レベルｂaveが低階調から所定の中間階調になるにつれて、階調差レベルΔｂαおよび階調差レベルΔｂβは大きくなり、平均階調レベルｂaveが所定の中間階調から高階調になるにつれて、階調差レベルΔｂαおよび階調差レベルΔｂβは小さくなる。階調差レベル部３２０は、平均階調レベルｂaveに対して、ルックアップテーブルを参照して階調差レベルΔｂα、Δｂβを決定してもよい。あるいは、階調差レベル部３２０は、所定の演算により、平均階調レベルｂaveに基づいて階調差レベルΔｂα、Δｂβを決定してもよい。
【００９０】
次に、階調輝度変換部３３０は、階調差レベルΔｂαを輝度差レベルΔＹbαに変換し、階調差レベルΔｂβを輝度差レベルΔＹbβに変換する。輝度差レベルΔＹbα、ΔＹbβが大きくなるほどシフト量ΔＳα、ΔＳβは大きくなる。なお、理想的には、シフト量ΔＳαはΔＳβと等しい。このため、階調差レベル部３２０において階調差レベルΔｂαおよびΔｂβの一方のみが与えられ、それに応じてシフト量ΔＳαおよびΔＳβの一方のみが与えられてもよい。
【００９１】
加算部３１０ｒを用いて階調レベルｒ１と階調レベルｒ２との平均が求められる。また、加算部３１０ｇを用いて階調レベルｇ１と階調レベルｇ２との平均が求められる。以下の説明において、階調レベルｒ１およびｒ２の平均を平均階調レベルｒaveと示し、階調レベルｇ１およびｇ２の平均を平均階調レベルｇaveと示す。
【００９２】
色相判定部３４０は入力信号に示された色の色相を判定する。色相判定部３４０は平均階調レベルｒave、ｇave、ｂaveを利用して色相の判定を行う。例えば、ｒave＞ｂave、ｇave＞ｂaveおよびｂave＝０のいずれかを満たす場合、色相判定部３４０は色相が青ではないと判定する。また、例えばｂave＞０かつｒave＝ｇave＝０を満たす場合、色相判定部３４０は色相が青であると判定する。
【００９３】
例えば、色相判定部３４０は平均階調レベルｒave、ｇave、ｂaveを利用して色相係数Ｈｂを求める。色相係数Ｈｂは色相に応じて変化する関数であり、具体的には、表示される色の青成分が増加するほど減少する関数である。例えば、関数Ｍａｘを複数の変数のうちの最も高いものを示す関数とし、関数Ｓｅｃｏｎｄを複数の変数のうちの二番目に高いものを示す関数とすると、Ｍ＝ＭＡＸ（ｒave，ｇave，ｂave）とし、Ｓ＝Ｓｅｃｏｎｄ（ｒave，ｇave，ｂave）である場合、色相係数Ｈｂは、Ｈｂ＝Ｓ／Ｍ（ｂave≧ｒave、ｂave≧ｒaveかつｂave＞０）と表される。具体的には、ｂave≧ｇave≧ｒaveかつｂave＞０の場合、Ｈｂ＝ｇave／ｂaveである。また、ｂave≧ｒave≧ｇaveかつｂave＞０の場合、Ｈｂ＝ｒave／ｂaveである。なお、ｂave＜ｒave、ｂave＜ｇaveおよびｂave＝０の少なくとも１つを満たす場合、Ｈｂ＝１である。
【００９４】
次に、シフト量ΔＳα、ΔＳβを求める。シフト量ΔＳαはΔＹbαと色相係数Ｈｂとの積によって表され、シフト量ΔＳβはΔＹbβと色相係数Ｈｂとの積によって表される。乗算部３５０は輝度差レベルΔＹbα、ΔＹbβと色相係数Ｈｂとの乗算を行い、これにより、シフト量ΔＳα、ΔＳβが得られる。
【００９５】
また、階調輝度変換部３６０ａが階調レベルｂ１に対して階調輝度変換を行い、輝度レベルＹb1を得る。輝度レベルＹb1は例えば以下の式にしたがって得られる。
【００９６】
Ｙb1＝ｂ１2.2（ここで、０≦ｂ１≦１）
同様に、階調輝度変換部３６０ｂは階調レベルｂ２に対して階調輝度変換を行い、輝度レベルＹb2を得る。
【００９７】
次に、加減算部３７０ａにおいて輝度レベルＹb1とシフト量ΔＳαとを加算し、さらに、輝度階調変換部３８０ａにおいて輝度階調変換を行うことにより、階調レベルｂ１’が得られる。また、加減算部３７０ｂにおいて輝度レベルＹb2からシフト量ΔＳβを減算し、さらに、輝度階調変換部３８０ｂにおいて輝度階調変換を行うことにより、階調レベルｂ２’が得られる。なお、入力信号において画素が中間階調の無彩色を示す場合、一般に、入力信号に示された階調レベルｒ、ｇ、ｂは互いに等しいため、表示部１１における輝度レベルＹb1’は輝度レベルＹrおよびＹgよりも高く、輝度レベルＹb2’は輝度レベルＹrおよびＹgよりも低い。また、輝度レベルＹb1’と輝度レベルＹb2’との平均は輝度レベルＹrおよびＹgとほぼ等しい。
【００９８】
図１２（ｂ）に、入力信号に示された青サブ画素の階調レベルと、表示部１１に入力される青サブ画素の階調レベルとの関係を示している。入力信号に示される色は例えば無彩色であり、色相係数Ｈｂは１である。階調差レベル部３２０において階調差レベルΔｂα、Δｂβが与えられることに伴い、階調レベルｂ１’はｂ１＋Δｂ１となり、階調レベルｂ２’はｂ２−Δｂ２となる。以上のように階調レベルｂ１’、ｂ２’により、青サブ画素Ｂ１は輝度レベルＹb1とシフト量ΔＳαとの和に相当する輝度を示し、青サブ画素Ｂ２は輝度レベルＹb2とシフト量ΔＳβとの差に相当する輝度を示す。
【００９９】
このように、色相判定部３４０の判定に基づいて青サブ画素の階調レベルｂ１、ｂ２の変換が行われる。色相判定部３４０において色相が青ではないと判定された場合、青サブ画素の階調レベルｂ１、ｂ２は異なる階調レベルに変換される。この変換は、斜め方向からの相対輝度が正面方向からの相対輝度に近くなるように行われる。これに対して、色相係数Ｈｂが０の場合、階調レベルｂ１’、ｂ２’として入力信号に示された青サブ画素の階調レベルｂ１、ｂ２が出力される。
【０１００】
このように、色相判定部３４０において色相が青であると判定された場合、青サブ画素の階調レベルｂ１、ｂ２は変換されることなく階調レベルｂ１、ｂ２のまま出力される。この場合、階調レベルｂ１は階調レベルｂ２と等しい。なお、表示部１１において階調レベルｂ１’、ｂ２’に対応する正面方向の輝度の平均は階調レベルｂ１、ｂ２に対応する正面方向の輝度の平均とほぼ等しい。
【０１０１】
上述したように、シフト量ΔＳα、ΔＳβは色相係数Ｈｂをパラメータとして含む関数で表され、シフト量ΔＳα、ΔＳβは色相係数Ｈｂの変化に応じて変化する。
【０１０２】
以下、図１３を参照して青補正部３００ｂによる色相係数の変化を説明する。図１３（ａ）は模式的な色相図であり、表示部１１の色再現範囲が正三角形で表されている。例えば、入力信号における階調レベルがｒave＝ｇave＝ｂaveの場合、色相係数Ｈｂは１となり、同様に、０＝ｒave＜ｇave＝ｂaveの場合、色相係数Ｈｂは１となる。また、０＝ｒave＝ｇave＜ｂaveの場合、色相係数Ｈｂは０となる。
【０１０３】
図１３（ｂ）に、色相係数Ｈｂ＝１の場合の入力信号における階調レベルｂと補正後の青サブ画素の階調レベルｂ’との関係を示す。ここで、階調レベルｂ１’は２つの隣接する画素のうちの一方の画素の明青サブ画素（例えば、図１０（ａ）および図１０（ｂ）における画素Ｐ１の青サブ画素Ｂ１）の階調レベルを示し、階調レベルｂ２’は他方の画素の暗青サブ画素（例えば、図１０（ａ）および図１０（ｂ）における画素Ｐ２の青サブ画素Ｂ２）の階調レベルを示す。
【０１０４】
階調レベルｂが低い場合、階調レベルｂの増加に伴い階調レベルｂ１’が増加するが、階調レベルｂ２’はゼロのままである。階調レベルｂの増加に伴い階調レベルｂ１’が最高階調レベルに達すると、階調レベルｂ２’の増加が開始する。このように、階調レベルｂが最低階調レベルおよび最高階調レベル以外である場合、階調レベルｂ１’は階調レベルｂ２’とは異なる。補正部３００Ａがこのように補正を行うことにより、視野角特性が改善される。
【０１０５】
図１３（ｃ）に、色相係数Ｈｂ＝０の場合の入力信号における階調レベルｂと補正後の青サブ画素の階調レベルｂ’との関係を示す。入力信号に示される色の色相が図１３（ａ）に示したＷとＢの直線上にある場合、仮に、図４（ａ）に示した青補正部３００ｂが補正を行ったとすると、一方の画素に属する明青サブ画素の輝度が他方の画素に属する暗青サブ画素の輝度と異なることが観察者に認識されることがある。このため、青補正部３００ｂは補正を行わない。この場合、２つの隣接する画素のうちの一方の画素（例えば、図１０（ａ）および図１０（ｂ）における画素Ｐ１）および他方の画素（例えば、図１０（ａ）および図１０（ｂ）における画素Ｐ２）の青サブ画素の階調レベルｂ１’、ｂ２’はそれぞれ入力信号に示された階調レベルｂに等しい。
【０１０６】
例えば、赤、緑および青サブ画素の階調レベル（ｒave，ｇave，ｂave）が、最高階調レベルを２５５として表記して（１２８，１２８，１２８）である場合、色相係数Ｈｂが１であるため、シフト量ΔＳα、ΔＳβはΔＹbα、ΔＹbβとなるのに対して、（ｒave，ｇave，ｂave）が（０，０，１２８）である場合、色相係数Ｈｂが０となり、シフト量ΔＳα、ΔＳβは０となる。また、（ｒave，ｇave，ｂave）がこれらの中間の（６４，６４，１２８）である場合、Ｈｂ＝０．５となり、シフト量ΔＳα、ΔＳβは０．５×ΔＹbα、０．５×ΔＹbβであり、Ｈｂが１．０の場合の半分の値になる。このようにシフト量ΔＳα、ΔＳβは入力信号の色相に応じて連続的に変化し、表示特性の突発的な変化が抑制される。このように、青補正部３００ｂは、入力信号に示される色に応じてシフト量を変化させており、結果として、視野角特性の改善とともに解像度の低下が抑制される。なお、図１１に示した青補正部３００ｂでは、階調レベル部３２０において平均階調レベルｂaveに対する階調差レベルを求めており、これを利用することにより、色相に応じたシフト量の変更が容易に行われている。なお、図１２（ｂ）は色相係数Ｈｂが１の場合の結果を示すグラフであるが、色相係数Ｈｂが０の場合、入力信号に示された階調レベルｂ１（＝ｂ２）と出力される階調レベルｂ１’、ｂ２’がそれぞれ同じ値になる。
【０１０７】
このように、本実施形態の表示装置１では、色相係数Ｈｂが変化することにより、カラーシフトが抑制される。なお、色相係数と比較例１、２の液晶表示装置との関係に着目すると、色相係数Ｈｂ＝０は比較例１の液晶表示装置に対応しており、色相係数Ｈｂ＝１は比較例２の液晶表示装置に対応している。
【０１０８】
ここで、図１４を参照して、色相係数Ｈｂに応じた斜め階調の変化を説明する。図１４（ａ）に、色相係数Ｈｂが１である場合の入力信号に示された青サブ画素の階調レベル（基準階調レベル）ｂと補正後の階調レベルｂ１’、ｂ２’との関係を示す。例えば、階調レベルｂが最大輝度の半分に相当する階調レベル１８６（＝０．５1/2.2×２５５）である場合、補正後の階調レベルｂ１’、ｂ２’はそれぞれ階調レベル２５５および階調レベル０である。また、階調レベルｂが１８６を超える場合、階調レベルｂ１’は２５５となり、階調レベルｂ２’は青サブ画素Ｂ１およびＢ２の輝度平均が階調レベルｂに相当するように増加する。図１４（ｂ）に、基準階調レベルに対する斜め階調の変化を示す。図１４（ｂ）において、色相係数Ｈｂ＝１で階調レベルの補正を行った場合の斜め階調を実線で示し、また、参考のために、補正無しの場合（すなわち、色相係数Ｈｂ＝０の場合）の斜め階調を破線で示している。図１４（ｂ）から、色相係数Ｈｂ＝１で階調レベルの補正を行うことにより、白浮きが大きく改善されていることが理解される。なお、図１４（ｂ）は図９（ｃ）に対応している。
【０１０９】
また、図１４（ｃ）に、色相係数Ｈｂが０．５である場合の入力信号に示された青サブ画素の階調レベル（基準階調レベル）ｂと補正後の階調レベルｂ１’、ｂ２’との関係を示す。階調レベルｂの増加とともに階調レベルｂ１’だけでなく階調レベルｂ２’も増加する。ただし、階調レベルｂ１’は階調レベルｂ２’よりも大きい。なお、ここでは、階調レベルｂ１’、ｂ２’は階調レベルｂに対して比例関係を有している。
【０１１０】
色相係数Ｈｂが０．５である場合、階調レベルｂ１’が最大階調レベル２５５に達するときの階調レベルｂは１８６よりも大きい。階調レベルｂ１’が最大階調レベル２５５に達すると、階調レベルｂ２’は、青サブ画素Ｂ１およびＢ２の輝度平均が階調レベルｂと相当するようにさらに大きい割合で増加する。図１４（ｄ）に、基準階調レベルに対する斜め階調の変化を示す。図１４（ｄ）において、色相係数Ｈｂ＝０．５で階調レベルの補正を行った場合の斜め階調を点線で示し、参考のために、補正無しの場合（すなわち、色相係数Ｈｂ＝０の場合）の斜め階調を破線で示している。図１４（ｄ）から、色相係数Ｈｂ＝０．５で階調レベルの補正を行うことにより、白浮きがある程度改善されていることが理解される。なお、図１４（ｄ）は、図１０（ｃ）に対応している。ここで、図１０（ｃ）、図１４（ｂ）および図１４（ｄ）から理解されるように、色相係数Ｈｂが０から１の範囲で変化することにより、表示装置１の斜め階調は比較例１の液晶表示装置および比較例２の液晶表示装置の斜め階調の間の任意の値を取り得るといえる。
【０１１１】
なお、上述した説明では、青補正部３００ｂの構成を説明したが、赤補正部３００ｒおよび緑補正部３００ｇも同様の構成を有している。例えば、赤補正部３００ｒにおいて、色相判定部３４０は入力信号に示された色の色相を判定する。色相判定部３４０は平均階調レベルｒave、ｇave、ｂaveを利用して色相係数Ｈｒを求める。色相係数Ｈｒは色相に応じて変化する関数である。色相係数Ｈｒは、Ｈｒ＝Ｓ／Ｍ（ｒave≧ｇave、ｒave≧ｂaveかつｒave＞０）と表される。具体的には、ｒave≧ｇave≧ｂaveかつｒave＞０の場合、Ｈｒ＝ｇave／ｒaveである。また、ｒave≧ｂave≧ｇaveかつｒave＞０の場合、Ｈｒ＝ｂave／ｒaveである。なお、ｒave＜ｇave、ｒave＜ｂaveおよびｒave＝０の少なくとも１つを満たす場合、Ｈｒ＝１である。
【０１１２】
また、緑補正部３００ｇにおいて、色相判定部３４０は入力信号に示された色の色相を判定する。色相判定部３４０は平均階調レベルｒave、ｇave、ｂaveを利用して色相係数Ｈｇを求める。色相係数Ｈｇは色相に応じて変化する関数である。色相係数Ｈｇは、Ｈｇ＝Ｓ／Ｍ（ｇave≧ｒave、ｇave≧ｂaveかつｇave＞０）と表される。具体的には、ｇave≧ｒave≧ｂaveかつｇave＞０の場合、Ｈｇ＝ｒave／ｇaveである。また、ｇave≧ｂave≧ｒaveかつｇave＞０の場合、Ｈｇ＝ｂave／ｇaveである。なお、ｇave＜ｒave、ｇave＜ｂaveおよびｇave＝０の少なくとも１つを満たす場合、Ｈｇ＝１である。
【０１１３】
このように、補正部３００Ａにおいて、赤補正部３００ｒ、緑補正部３００ｇおよび青補正部３００ｂのそれぞれが上述した色相係数Ｈｒ、Ｈｇ、Ｈｂに基づいて補正を行う。入力信号に示された赤、緑および青サブ画素の階調レベルがｒave＝ｇave＝ｂave≠０である場合、赤、緑および青サブ画素のすべての階調レベルに対して補正が行われる。ただし、入力信号に示された赤、緑および青サブ画素の階調レベルがｒave＝ｇave＝ｂave＝０である場合、赤、緑および青サブ画素のすべての階調レベルに対して補正は行われない。また、例えば、入力信号における赤、緑および青サブ画素の階調レベルがｒave＝ｇave＞ｂave≠０である場合、赤、緑および青サブ画素のすべての階調レベルに対して補正が行われ、また、赤、緑および青サブ画素の階調レベルがｒave＝ｇave＞ｂave＝０である場合、赤および緑サブ画素の階調レベルに対して補正が行われる。さらに、例えば、入力信号における赤、緑および青サブ画素の階調レベルが０≠ｒave＝ｇave＜ｂaveである場合も、赤、緑および青サブ画素のすべての階調レベルに対して補正が行われる。一方、入力信号における赤、緑および青サブ画素の階調レベルが０＝ｒave＝ｇave＜ｂaveである場合は、赤、緑および青サブ画素のいずれの階調レベルに対しても補正は行われない。このように、入力信号に示される赤、緑および青サブ画素の階調レベルのうちの少なくとも２つのサブ画素の階調レベルが０でなければ、赤補正部３００ｒ、緑補正部３００ｇおよび青補正部３００ｂの少なくともいずれかは補正を行う。
【０１１４】
例えば、ｒave＞ｇave＝ｂave＞０である場合、色相係数Ｈｒ＝Ｓ／Ｍであり、色相係数Ｈｇ、Ｈｂはそれぞれ１である。具体的には、（ｒave，ｇave，ｂave）＝（１００，５０，５０）である場合、図１５に示すように、色相係数Ｈｒ、Ｈｇ、Ｈｂがそれぞれ、０．５、１、１となることにより、各サブ画素の階調レベル差をほぼ等しくして色度差を抑制することができる。
【０１１５】
表４に、赤サブ画素の平均階調レベル（明および暗赤サブ画素の階調レベル）、色相係数Ｈｒ、緑サブ画素の平均階調レベル（明および暗緑サブ画素の階調レベル）、色相係数Ｈｇ、青サブ画素の平均階調レベル（明および暗青サブ画素の階調レベル）、色相係数Ｈｂ、視野角方向、色度ｘ、ｙ、輝度Ｙおよび色度差Δｕ’ｖ’を示す。
【０１１６】
【表４】
2020034876.tif 000006
【０１１７】
同様に、ｇave＞ｒave＝ｂave＞０である場合、例えば、（ｒave，ｇave，ｂave）＝（５０，１００，５０）である場合、色相係数Ｈｒ、Ｈｇ、Ｈｂをそれぞれ１、０．５、１とすることにより、色度差を抑制することができる。また、ｂave＞ｒave＝ｇave＞０である場合、例えば、（ｒave，ｇave，ｂave）＝（５０，５０，１００）である場合、色相係数Ｈｒ、Ｈｇ、Ｈｂをそれぞれ１、１、０．５とすることにより、色度差を抑制することができる。このように、関数Ｍａｘ、Ｓｅｃｏｎｄを用いることにより、カラーシフトの抑制を簡便に行うことができる。また、以上のように、本実施形態の表示装置１は、赤補正部３００ｒ、緑補正部３００ｇおよび青補正部３００ｂを備えており、赤、緑および青サブ画素の階調レベルに基づいて各サブ画素の輝度の調整を行うことにより、視野角特性の改善とともにカラーシフトを抑制できる。
【０１１８】
なお、上述した説明では、赤補正部３００ｒにおける色相係数Ｈｒ、緑補正部３００ｇにおける色相係数Ｈｇおよび青補正部３００ｂにおける色相係数Ｈｂは０〜１の範囲で連続的に可変であり、例えば、ＭＡＸ（ｒave，ｇave，ｂave）＝ｂaveである場合、色相係数Ｈｂは、Ｈｂ＝ＳＥＣＯＮＤ（ｒave，ｇave，ｂave）／ＭＡＸ（ｒave，ｇave，ｂave）と表されたが、本発明はこれに限定されない。色相係数Ｈｒ、Ｈｇ、Ｈｂの少なくとも１つが２値化されてもよい。例えば、色相係数Ｈｂは０または１に２値化されており、赤補正部３００ｒにおける色相係数Ｈｒおよび緑補正部３００ｇにおける色相係数Ｈｇのうちの少なくとも一方が０〜１の範囲で可変であってもよい。
【０１１９】
あるいは、色相係数Ｈｒ、Ｈｇ、Ｈｂの少なくとも１つが１に固定されていてもよい。例えば、色相係数Ｈｂは１に固定されており、赤補正部３００ｒにおける色相係数Ｈｒおよび緑補正部３００ｇにおける色相係数Ｈｇのうちの少なくとも一方が０〜１の範囲で可変であってもよい。
【０１２０】
あるいは、色相係数Ｈｂは色相に応じて０または１に２値化された値を示し、色相係数ＨｒおよびＨｇは０に固定されていてもよい。
【０１２１】
以下、図１６および表５を参照して画素に表示される色の色相と色相係数Ｈｂとの関係を説明する。なお、ここでは、青補正部３００ｂにおいて色相係数Ｈｂは色相に応じて０または１に変化するが、赤、緑補正部３００ｒ、３００ｇにおいて色相係数Ｈｒ、Ｈｇは０に固定されている。
【０１２２】
図１６（ａ）に、表示部１１の色相を模式的に示す。図１６（ａ）に示すように、色相係数Ｈｂは色相に応じて変化する。
【０１２３】
入力信号において画素が青を示す場合、色相係数Ｈｂが０のときの色度差は色相係数Ｈｂが１のときの色度差よりも小さい。また、入力信号において画素がマゼンタまたはシアンを示す場合、色相係数Ｈｂが０のときの色度差は色相係数Ｈｂが１のときの色度差よりも小さい。このため、入力信号において画素が青、マゼンタまたはシアンを示す場合、色相係数Ｈｂは０となる。例えば、赤、緑および青サブ画素の平均階調レベル（ｒave，ｇave，ｂave）が（６４，６４，１２８）、（１２８，６４，１２８）または（６４，１２８，１２８）である場合、色相係数Ｈｂは０となる。図１６（ｂ）に、色相係数Ｈｂが０の場合の階調レベルｂ１’、ｂ２’の変化を示す。色相係数Ｈｂが０の場合、階調レベルｂ１’は階調レベルｂ２’と等しい。このように、画素が青、マゼンタまたはシアンを表示する場合、色相係数Ｈｂを０とすることにより、色度差Δｕ’ｖ’を抑制することができる。
【０１２４】
一方、入力信号において画素が赤を示す場合、色相係数Ｈｂが１のときの色度差は色相係数Ｈｂが０のときの色度差よりも小さい。また、入力信号において画素が黄または緑を示す場合、色相係数Ｈｂが１のときの色度差は色相係数Ｈｂが０のときの色度差よりも小さい。このため、入力信号において画素が赤、黄または緑を示す場合、色相係数Ｈｂは１となる。例えば、赤、緑および青サブ画素の平均階調レベル（ｒave，ｇave，ｂave）が（２５５，１２８，１２８）、（２５５，２５５，１２８）または（１２８，２５５，１２８）である場合、色相係数Ｈｂは１となる。図１６（ｃ）に、色相係数Ｈｂが１の場合の階調レベルｂ１’、ｂ２’の変化を示す。色相係数Ｈｂが１の場合、階調レベルｂ１’は階調レベルｂ２’とは異なる。このように、画素が赤、黄または緑を表示する場合、色相係数Ｈｂを１とすることにより、色度差Δｕ’ｖ’を抑制することができる。
【０１２５】
なお、例えば、平均階調レベルｂaveがＭＡＸ（ｒave，ｇave，ｂave）と等しい場合、および、ＭＡＸ（ｒave，ｇave，ｂave）とｂaveとの差が所定の値よりも小さい場合、色相係数Ｈｂを０としてもよい。一方、平均階調レベルｂaveがＭＡＸ（ｒave，ｇave，ｂave）よりも小さく、かつ、ＭＡＸ（ｒave，ｇave，ｂave）とｂaveとの差が所定の値よりも大きい場合、色相係数Ｈｂを１としてもよい。
【０１２６】
表５に、画素の色、赤および緑サブ画素の平均階調レベル、青サブ画素の平均階調レベル（明および暗青サブ画素の階調レベル）、色相係数Ｈｂ、視野角方向、色度ｘ、ｙ、輝度Ｙおよび色度差Δｕ’ｖ’を示す。なお、ここでは、入力信号における平均階調レベルｂaveは１２８であり、色相係数Ｈｂが０の場合、明、暗青サブ画素の階調レベルはいずれも１２８となり、色相係数Ｈｂが１の場合、明、暗青サブ画素の階調レベルはそれぞれ１７５（＝（２×（１２８／２５５）2.2）1/2.2×２５５）、０となる。
【０１２７】
【表５】
2020034876.tif 000007
【０１２８】
このように、画素に表示される色の色相に応じて色相係数Ｈｂを変化させることにより、カラーシフトを抑制することができる。
【０１２９】
なお、上述した説明では、赤、緑補正部３００ｒ、３００ｇにおいて色相係数Ｈｒ、Ｈｇは０に固定されており、青補正部３００ｂにおいて色相係数Ｈｂは色相に応じて０または１に変化したが、本発明はこれに限定されない。緑、青補正部３００ｇ、３００ｂにおいて色相係数Ｈｇ、Ｈｂは０に固定されており、赤補正部３００ｒにおいて色相係数Ｈｒは色相に応じて０または１に変化してもよい。
【０１３０】
以下、図１７および表６を参照して画素に表示される色の色相と色相係数Ｈｒとの関係とを説明する。
【０１３１】
図１７（ａ）に、表示部１１の色相を模式的に示す。図１７（ａ）に示すように、色相係数Ｈｒは色相に応じて変化する。
【０１３２】
入力信号において画素が赤を示す場合、色相係数Ｈｒが０のときの色度差は色相係数Ｈｒが１のときの色度差よりも小さい。また、入力信号において画素がマゼンタまたは黄を示す場合、色相係数Ｈｒが０のときの色度差は色相係数Ｈｒが１のときの色度差よりも小さい。このため、入力信号において画素が赤、マゼンタまたは黄を示す場合、色相係数Ｈｒは０となる。例えば、赤、緑および青サブ画素の平均階調レベル（ｒave，ｇave，ｂave）が（１２８，６４，６４）、（１２８，６４，１２８）または（１２８，１２８，６４）である場合、色相係数Ｈｒが０となる。図１７（ｂ）に、色相係数Ｈｒが０の場合の階調レベルｒ１’、ｒ２’の変化を示す。色相係数Ｈｒが０の場合、階調レベルｒ１’は階調レベルｒ２’と等しい。このように、画素が赤、マゼンタまたは黄を表示する場合、色相係数Ｈｒを０とすることにより、色度差Δｕ’ｖ’を抑制することができる。
【０１３３】
一方、入力信号において画素が青を示す場合、色相係数Ｈｒが１のときの色度差は色相係数Ｈｒが０のときの色度差よりも小さい。また、入力信号において画素が緑またはシアンを示す場合、色相係数Ｈｒが１のときの色度差は色相係数Ｈｒが０のときの色度差よりも小さい。このため、入力信号において画素が青、緑またはシアンを示す場合、色相係数Ｈｒは１となる。例えば、赤、緑および青サブ画素の平均階調レベル（ｒave，ｇave，ｂave）が（１２８，１２８，２５５）、（１２８，２５５，１２８）または（１２８，２５５，２５５）である場合、色相係数Ｈｒは１となる。図１７（ｃ）に、色相係数Ｈｒが１の場合の階調レベルｒ１’、ｒ２’の変化を示す。色相係数Ｈｒが１の場合、階調レベルｒ１’は階調レベルｒ２’とは異なる。このように、画素が青、緑またはシアンを表示する場合、色相係数Ｈｒを１とすることにより、色度差Δｕ’ｖ’を抑制することができる。
【０１３４】
なお、例えば、平均階調レベルｒaveがＭＡＸ（ｒave，ｇave，ｂave）と等しい場合、および、ＭＡＸ（ｒave，ｇave，ｂave）とｒaveとの差が所定の値よりも小さい場合、色相係数Ｈｒを０としてもよい。一方、平均階調レベルｒaveがＭＡＸ（ｒave，ｇave，ｂave）よりも小さく、かつ、ＭＡＸ（ｒave，ｇave，ｂave）とｒaveとの差が所定の値よりも大きい場合、色相係数Ｈｒを１としてもよい。
【０１３５】
表６に、画素の色、赤サブ画素の平均階調レベル（明および暗赤サブ画素の階調レベル）、色相係数Ｈｒ、緑および青サブ画素の平均階調レベル、視野角方向、色度ｘ、ｙ、輝度Ｙおよび色度差Δｕ’ｖ’を示す。なお、ここでは、入力信号における平均階調レベルｒaveは１２８であり、色相係数Ｈｒが０の場合、明、暗赤サブ画素の階調レベルはいずれも１２８となり、色相係数Ｈｒが１の場合、明、暗赤サブ画素の階調レベルはそれぞれ１７５、０となる。
【０１３６】
【表６】
2020034876.tif 000008
【０１３７】
このように、画素に表示される色の色相に応じて色相係数Ｈｒを変化させることにより、カラーシフトを抑制することができる。
【０１３８】
なお、冗長を避けるためにここでは詳細な説明を省略するが、赤、青補正部３００ｒ、３００ｂにおいて色相係数Ｈｒ、Ｈｂは０に固定されており、緑補正部３００ｇにおける色相係数Ｈｇは色相に応じて０または１に変化してもよい。この場合、画素が緑、黄またはシアンを表示する場合、色相係数Ｈｇを０とすることにより、カラーシフトを抑制できる。一方、画素が青、マゼンタまたは赤を表示する場合、色相係数Ｈｇを１とすることにより、カラーシフトを抑制できる。
【０１３９】
なお、上述した説明では、赤、緑および青補正部３００ｒ、３００ｇ、３００ｂのうちの１つの補正部において色相係数が変化したが、本発明はこれに限定されない。赤、緑および青補正部３００ｒ、３００ｇ、３００ｂのうちの２つの補正部において色相係数が変化してもよい。
【０１４０】
以下、図１８および表７を参照して画素に表示される色の色相と色相係数Ｈｒ、Ｈｂとの関係を説明する。また、ここでは、赤補正部３００ｒ、青補正部３００ｂにおいて色相係数Ｈｒ、Ｈｂは色相に応じて０または１に変化するが、緑補正部３００ｇにおいて色相係数Ｈｇは０に固定されている。
【０１４１】
図１８（ａ）に、表示部１１の色相を模式的に示す。図１８（ａ）に示すように、色相係数Ｈｒ、Ｈｂは色相に応じて変化する。
【０１４２】
具体的には、入力信号において画素がマゼンタを示す場合、色相係数Ｈｒ、Ｈｂがいずれも０のときの色度差は色相係数Ｈｒ、Ｈｂが他の組み合わせのときの色度差よりも小さい。このため、色相係数Ｈｒ、Ｈｂはいずれも０となり、階調レベルｒ１’は階調レベルｒ２’と等しく、階調レベルｂ１’は階調レベルｂ２’と等しい。図１８（ｂ）に、色相係数Ｈｒ、Ｈｂが０の場合の階調レベルｒ１’、ｒ２’、ｂ１’、ｂ２’の変化を示す。例えば、赤、緑および青サブ画素の平均階調レベル（ｒave，ｇave，ｂave）が（１２８，６４，１２８）である場合、色相係数Ｈｒ、Ｈｂをいずれも０とすることにより、色度差が抑制される。
【０１４３】
また、入力信号において画素が赤または黄を示す場合、色相係数Ｈｒ、Ｈｂがそれぞれ０、１のときの色度差は色相係数Ｈｒ、Ｈｂが他の組み合わせのときの色度差よりも小さい。このため、色相係数Ｈｒ、Ｈｂはそれぞれ０、１となり、階調レベルｒ１’は階調レベルｒ２’と等しく、階調レベルｂ１’は階調レベルｂ２’とは異なる。図１８（ｃ）に、色相係数Ｈｒ、Ｈｂがそれぞれ０、１の場合の階調レベルｒ１’、ｒ２’、ｂ１’、ｂ２’の変化を示す。例えば、赤、緑および青サブ画素の平均階調レベル（ｒave，ｇave，ｂave）が（１２８，６４，６４）または（１２８，１２８，６４）である場合、色相係数Ｈｒ、Ｈｂをそれぞれ０、１とすることにより、色度差が抑制される。
【０１４４】
また、入力信号において画素が青またはシアンを示す場合、色相係数Ｈｒ、Ｈｂがそれぞれ１、０のときの色度差は色相係数Ｈｒ、Ｈｂが他の組み合わせのときの色度差よりも小さい。このため、色相係数Ｈｒ、Ｈｂはそれぞれ１、０となり、階調レベルｒ１’は階調レベルｒ２’とは異なり、階調レベルｂ１’は階調レベルｂ２’と等しい。図１８（ｄ）に、色相係数Ｈｒ、Ｈｂがそれぞれ１、０の場合の階調レベルｒ１’、ｒ２’、ｂ１’、ｂ２’の変化を示す。例えば、赤、緑および青サブ画素の平均階調レベル（ｒave，ｇave，ｂave）が（６４，６４，１２８）または（６４，１２８，１２８）である場合、色相係数Ｈｒ、Ｈｂをそれぞれ１、０とすることにより、色度差が抑制される。
【０１４５】
また、入力信号において画素が緑を示す場合、色相係数Ｈｒ、Ｈｂがいずれも１のときの色度差は色相係数Ｈｒ、Ｈｂが他の組み合わせのときの色度差よりも小さい。このため、色相係数Ｈｒ、Ｈｂはいずれも１となり、階調レベルｒ１’は階調レベルｒ２’とは異なり、階調レベルｂ１’は階調レベルｂ２’とは異なる。図１８（ｅ）に、色相係数Ｈｒ、Ｈｂがいずれも１の場合の階調レベルｒ１’、ｒ２’、ｂ１’、ｂ２’の変化を示す。例えば、赤、緑および青サブ画素の平均階調レベル（ｒave，ｇave，ｂave）が（６４，１２８，６４）である場合、色相係数Ｈｒ、Ｈｂをいずれも１とすることにより、色度差が抑制される。
【０１４６】
なお、例えば、平均階調レベルｒaveがＭＡＸ（ｒave，ｇave，ｂave）と等しい場合、および、ＭＡＸ（ｒave，ｇave，ｂave）とｒaveとの差が所定の値よりも小さい場合、色相係数Ｈｒを０としてもよい。一方、平均階調レベルｒaveがＭＡＸ（ｒave，ｇave，ｂave）よりも小さく、かつ、ＭＡＸ（ｒave，ｇave，ｂave）とｒaveとの差が所定の値よりも大きい場合、色相係数Ｈｒを１としてもよい。また、平均階調レベルｂaveがＭＡＸ（ｒave，ｇave，ｂave）と等しい場合、および、ＭＡＸ（ｒave，ｇave，ｂave）とｂaveとの差が所定の値よりも小さい場合、色相係数Ｈｂを０としてもよい。一方、平均階調レベルｂaveがＭＡＸ（ｒave，ｇave，ｂave）よりも小さく、かつ、ＭＡＸ（ｒave，ｇave，ｂave）とｂaveとの差が所定の値よりも大きい場合、色相係数Ｈｂを１としてもよい。
【０１４７】
表７に、画素の色、赤サブ画素の階調レベル（明および暗赤サブ画素の階調レベル）、色相係数Ｈｒ、緑サブ画素の平均階調レベル、青サブ画素の平均階調レベル（明および暗青サブ画素の階調レベル）、色相係数Ｈｂ、視野角方向、色度ｘ、ｙ、輝度Ｙおよび色度差Δｕ’ｖ’を示す。なお、ここでは、入力信号における平均階調レベルｒave、ｂaveは６４または１２８である。例えば、色相係数Ｈｒ、Ｈｂが０の場合、明、暗サブ画素の階調レベルはいずれも６４または１２８となる。一方、色相係数Ｈｒ、Ｈｂが１の場合、平均階調レベルが６４であるとき明、暗サブ画素の階調レベルは８８（＝（２×（６４／２５５）2.2）1/2.2×２５５）、０となり、平均階調レベルが１２８であるとき明、暗サブ画素の階調レベルは１７５（＝（２×（１２８／２５５）2.2）1/2.2×２５５）、０となる。
【０１４８】
【表７】
2020034876.tif 000009
【０１４９】
このように、画素がマゼンタを表示する場合、色相係数Ｈｒ、Ｈｂをいずれも０とすることにより、色度差Δｕ’ｖ’を抑制することができる。また、画素が赤または黄を表示する場合、色相係数Ｈｒを０とするとともに色相係数Ｈｂを１とすることにより、色度差Δｕ’ｖ’を抑制することができる。
【０１５０】
また、画素が青またはシアンを表示する場合、色相係数Ｈｒを１とするとともに色相係数Ｈｂを０とすることにより、色度差Δｕ’ｖ’を抑制することができる。また、画素が緑を表示する場合、色相係数Ｈｒ、Ｈｂをいずれも１とすることにより、色度差Δｕ’ｖ’を抑制することができる。このように、画素に表示される色の色相に応じて色相係数Ｈｒ、Ｈｂを変化させることにより、カラーシフトを抑制することができる。以上のように、色相係数Ｈｒ、Ｈｇ、Ｈｂのうち少なくとも１つが２値化されてもよい。
【０１５１】
なお、点灯するサブ画素以外のサブ画素が非点灯である場合、点灯するサブ画素の輝度の差が大きいと、解像度の低下が認識されやすい。しかしながら、表示装置１では、例えば、入力信号に示された赤、緑および青サブ画素の階調レベルが（０，０，１２８）である場合、色相係数Ｈｂは０であり、入力信号に示された青サブ画素の階調レベルは変化せず、青サブ画素Ｂ１、Ｂ２の輝度が互いに等しくなる。このように、補正部３００Ａは解像度の低下が認識されやすい場合に階調レベルを変化させないことにより、解像度の実質的な低下が抑制される。
【０１５２】
なお、上述した説明では、入力信号に示された階調レベルｂ１は階調レベルｂ２と等しかったが、本発明はこれに限定されない。入力信号に示された階調レベルｂ１は階調レベルｂ２と異なってもよい。ただし、階調レベルｂ１が階調レベルｂ２と異なる場合、図１１に示した階調輝度変換部３６０ａにおいて階調輝度変換の行われた輝度レベルＹb1は階調輝度変換部３６０ｂにおいて階調輝度変換の行われた輝度レベルＹb2とは異なる。特にテキスト表示時など隣接画素の階調レベルの差が大きい場合、輝度レベルＹb1と輝度レベルＹb2との差は顕著に大きくなる。
【０１５３】
具体的には、階調レベルｂ１が階調レベルｂ２よりも高い場合、輝度階調変換部３８０ａにおいて輝度レベルＹb1とシフト量ΔＳαとの和に基づいて輝度階調変換が行われ、輝度階調変換部３８０ｂにおいて輝度レベルＹb2とシフト量ΔＳβとの差に基づいて輝度階調変換が行われる。この場合、図１９に示すように、階調レベルｂ１’に対応する輝度レベルＹb1’は階調レベルｂ１に対応する輝度レベルＹb1よりもシフト量ΔＳαだけさらに高くなり、階調レベルｂ２’に対応する輝度レベルＹb2’は階調レベルｂ２に対応する輝度レベルＹb2よりもシフト量ΔＳβだけさらに低くなり、階調レベルｂ１’に対応する輝度と階調レベルｂ２’に対応する輝度との差が階調レベルｂ１に対応する輝度と階調レベルｂ２に対応する輝度との差よりも大きくなってしまう。
【０１５４】
ここで、４つの画素に着目する。画素はそれぞれ左上、右上、左下、右下に配列されており、それぞれを画素Ｐ１〜Ｐ４とする。また、画素Ｐ１〜Ｐ４に対応する入力信号における青サブ画素の階調レベルをｂ１〜ｂ４とする。図１０を参照して上述したように、入力信号における各サブ画素が同じ色を示す場合、すなわち、階調レベルｂ１〜ｂ４が互いに等しい場合、階調レベルｂ１’は階調レベルｂ２’よりも高く、また、階調レベルｂ４’は階調レベルｂ３’よりも高い。
【０１５５】
また、入力信号において画素Ｐ１、Ｐ３が高階調を示し、画素Ｐ２、Ｐ４が低階調を示し、画素Ｐ１、Ｐ３と画素Ｐ２、Ｐ４との間に表示の境界が形成されるとする。階調レベルｂ１、ｂ２はｂ１＞ｂ２であり、階調レベルｂ３、ｂ４はｂ３＞ｂ４である。この場合、階調レベルｂ１’に対応する輝度と階調レベルｂ２’に対応する輝度との差が階調レベルｂ１に対応する輝度と階調レベルｂ２に対応する輝度との差よりも大きくなる。これに対して、階調レベルｂ３’に対応する輝度と階調レベルｂ４’に対応する輝度との差は階調レベルｂ３に対応する輝度と階調レベルｂ４に対応する輝度との差よりも小さくなる。
【０１５６】
なお、上述したように、入力信号に示された色が単色（例えば、青）の場合、色相係数Ｈｂが０または０に近いため、シフト量が減少し、入力信号がそのまま出力されるため解像度が維持できる。しかしながら、無彩色の場合、色相係数Ｈｂが１または１に近いため、補正前と比べて画素列ごとに輝度差が大きくなったり小さくなったりして、エッジなどが「がたがた」するように見えてしまい解像度が損なわれることがある。なお、階調レベルｂ１とｂ２が等しいかまたは近い場合は、人間の視覚特性上あまり気にならないが、階調レベルｂ１と階調レベルｂ２との差が大きいほど、この傾向は顕著になる。
【０１５７】
（制御例の変形例）
以下、表示制御部１０による制御例の変形例について、図２０に基づいて説明する。図２０は、図３に示す制御例の変形例を示す模式図である。
【０１５８】
具体的には、表示制御部１０は、表示部１１を構成する複数の部分領域の各々においてコンテンツを表示する場合、各部分領域を、当該部分領域の中央側から周辺側に向けて複数の領域に分割し、周辺側の領域ほど、視野角補正の度合いを強くしてもよい。より詳細には、図２０の例示では、表示制御部１０は、表示部１１を構成する複数の部分領域１１−１、１１−２、１１−３、および１１−４の各々においてコンテンツを表示する場合、各部分領域１１−１、１１−２、１１−３、および１１−４を、当該部分領域１１−１、１１−２、１１−３、および１１−４の中央側から周辺側に向けて領域１１−１ａ、領域１１−１ｂ、領域１１−１ｃ、および領域１１−１ｄに分割た（部分領域１１−１を参照）。
【０１５９】
更に詳しくは、上記部分領域１１−１、１１−２、１１−３、および１１−４それぞれの中心部に位置する領域１１−１ａを視野角補正をＯＦＦとし周辺側に向かって視野角補正の度合いを強める。
【０１６０】
上記の構成によれば、部分領域１１−１、１１−２、１１−３、および１１−４それぞれで中心部に位置する領域は解像度が保たれたまま、周辺部に位置する領域は視野角が改善され、マルチ画面すべてで良好な画質を供給することが可能となる。
【０１６１】
この場合に視野角補正の度合いは図３に示す制御例と比較すると、表示部１１中央から周辺までの距離が短くなるため視野角補正の度合いを弱めて設定する。
【０１６２】
上記のように４Ｋマルチ表示か、通常の８Ｋ表示かの切り分けとしては４本入力されているＨＤＭＩ（登録商標）ケーブルのＥＤＩＤメタデータをリードし、信号解像度、色情報（ＢＴ２０２０／ＢＴ７０９）、ＨＤＲ／ＳＤＲのダイナミックレンジ情報などを比較し、４本入力がすべて同じであれば８Ｋ１画面表示と判断、それぞれ異なれば４Ｋ４画面マルチと判断し視野角補正の領域及び度合いを切り替える。
【０１６３】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１６４】
本実施形態２とすでに説明した実施形態１との相違点は、本実施形態２における表示装置は人感センサーを更に備える点である。
【０１６５】
以下、本発明の実施形態２について、図２１に基づいて詳細に説明する。図２１は、本実施形態２に係る表示装置１ａのブロック図である。
【０１６６】
図２１に示すように、表示装置１ａは表示部１１と、表示制御部１０と、人感センサー１２とを備え、表示制御部１０は、人感センサー１２によって特定された視聴者の視聴位置及び視聴距離に更に応じて、視野角補正の度合いを切り替えてもよい。
【０１６７】
具体的には、例えば以下の構成が考えられる。すなわち、
・視聴距離が近い場合には視野角補正を行う領域が広がり、視聴距離が遠くなると視野角補正をＯＦＦとする領域が広がるようにする。
・視聴位置に応じて、視野角補正をＯＦＦとする領域の位置を変更する。
【０１６８】
また、上述した制御例の変形例において、例えば以下の構成が考えられる。すなわち、人感センサーにより視聴者が多数と判断した場合はマルチ画面と判断する等も考えられる。
【０１６９】
上記の構成によっても、実施形態１と同様な効果を奏することができる。
【０１７０】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【０１７１】
本実施形態３とすでに説明した実施形態１および２との相違点は以下の点である。
【０１７２】
以下、本発明の実施形態３について、図２２に基づいて詳細に説明する。図２２は、本実施形態３に係る表示装置１ｂのブロック図である。
【０１７３】
図２１に示すように、表示装置１ｂは表示部１１と、表示制御部１０と、表示対象コンテンツ種類判定部１３とを備え、表示制御部１０は、表示対象コンテンツ種類判定部１３により判定した表示対象コンテンツの種類に応じて、視野角補正の度合いを切り替えるか、又は視野角補正を行うか否かを切り替えてもよい。
【０１７４】
具体的には、例えば以下の構成が考えられる。すなわち、
・表示部１１にＰＣ画面が表示される場合、視野角補正をＯＦＦにする。
・表示部１１に絵画が表示される場合、表示領域の全領域において視野角補正をＯＮにする。
【０１７５】
また、本実施形態３の構成をすでに説明した実施形態２の構成と組み合わせてもよい。
【０１７６】
上記の構成によっても、実施形態１および２と同様な効果を奏することができる。
【０１７７】
〔ソフトウェアによる実現例〕
表示装置１の制御ブロック（特に表示制御部１０）は、集積回路（ＩＣチップ）等に形成された論理回路（ハードウェア）によって実現してもよいし、ソフトウェアによって実現してもよい。
【０１７８】
後者の場合、表示装置１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１７９】
〔まとめ〕
本発明の態様１に係る表示装置（１、１ａ、１ｂ）は、表示部（１１）と、表示制御部（１０）とを備え、表示制御部（１０）は、表示部（１１）における表示位置に応じて、視野角補正の度合いを切り替える。
【０１８０】
上記の構成によれば、表示装置の表示部における表示位置に応じて、視野角補正の度合いを切り替えることできる。
【０１８１】
本発明の態様２に係る表示装置（１、１ａ、１ｂ）は、上記態様１において、表示制御部（１０）は、表示部（１１）における表示領域を、中央側から周辺側に向けて複数の領域に分割し、周辺側の領域ほど、視野角補正の度合いを強くしてもよい。
【０１８２】
上記の構成によれば、視聴者にとって、表示部１１における中心部に位置する領域１１ａは視野角もよく、かつ解像度も優れた映像を視聴することが可能となり、周辺側に位置する領域１１ｃ、および領域１１ｄについても視野角補正を行うことで視野角特性を改善することが可能となる。
【０１８３】
本発明の態様３に係る表示装置（１、１ａ、１ｂ）は、上記態様１において、表示制御部（１０）は、表示部（１１）を構成する複数の部分領域の各々においてコンテンツを表示する場合、各部分領域を、当該部分領域の中央側から周辺側に向けて複数の領域に分割し、周辺側の領域ほど、視野角補正の度合いを強くしてもよい。
【０１８４】
上記の構成によれば、部分領域それぞれで中心部に位置する領域は解像度が保たれたまま、周辺部に位置する領域は視野角が改善され、マルチ画面すべてで良好な画質を供給することが可能となる。
【０１８５】
本発明の態様４に係る表示装置（１ａ）は、上記態様１から３の何れか１つにおいて、人感センサー（１２）を更に備え、表示制御部（１０）は、人感センサー（１２）によって特定された視聴者の視聴位置及び視聴距離に更に応じて、視野角補正の度合いを切り替えてもよい。
【０１８６】
上記の構成によっても、態様１と同様な効果を奏することができる。
【０１８７】
本発明の態様５に係る表示装置（１ｂ）は、上記態様１から４の何れか１つにおいて、表示制御部（１０）は、表示対象コンテンツの種類に応じて、視野角補正の度合いを切り替えるか、又は視野角補正を行うか否かを切り替えてもよい。
【０１８８】
上記の構成によっても、態様１と同様な効果を奏することができる。
【０１８９】
本発明の態様６に係る表示装置（１）は、上記態様１から５の何れか１つにおいて、表示部（１１）は、互いに隣接する第１画素及び第２画素を含む複数の画素を備えており、上記複数の画素のそれぞれは、第１サブ画素、第２サブ画素、及び第３サブ画素を含む複数のサブ画素を有しており、表示制御部（１０）により、表示部（１１）における視野角補正有りとした第１の領域において、入力信号に示された上記第１画素および上記第２画素のそれぞれがある有彩色を示す場合、上記第１画素および上記第２画素のうちの少なくとも一方の上記第３サブ画素が点灯し、上記第１画素の上記第１サブ画素および上記第２サブ画素ならびに上記第２画素の上記第１サブ画素および上記第２サブ画素のうちの少なくとも１つのサブ画素が点灯し、入力信号に示された上記第１画素および上記第２画素のそれぞれが上記ある有彩色を示すときの上記第１画素の上記第３サブ画素の輝度と上記第２画素の上記第３サブ画素の輝度との平均が、入力信号に示された上記第１画素および上記第２画素のそれぞれがある無彩色を示すときの上記第１画素の上記第３サブ画素の輝度と上記第２画素の上記第３サブ画素の輝度との平均と等しい場合、入力信号に示された上記第１画素および上記第２画素のそれぞれが上記ある有彩色を示すときの上記第１画素および上記第２画素のそれぞれの上記第３サブ画素の輝度は、入力信号に示された上記第１画素および上記第２画素のそれぞれが上記ある無彩色を示すときの上記第１画素および上記第２画素のそれぞれの上記第３サブ画素の輝度とは異なり、且つ、入力信号に示された上記第１画素および上記第２画素のそれぞれが上記ある有彩色を示すときの上記第１画素の上記第３サブ画素の輝度と上記第２画素の上記第３サブ画素の輝度との差は、入力信号に示された上記第１画素および上記第２画素のそれぞれが上記ある無彩色を示すときの上記第１画素の上記第３サブ画素の輝度と上記第２画素の上記第３サブ画素の輝度との差よりも小さくしてもよい。
【０１９０】
上記の構成によれば、視野角特性を改善するとともにカラーシフトを抑制する表示装置を提供できる。
【０１９１】
本発明の態様７に係る表示装置（１）は、上記態様６において、表示制御部（１０）により、表示部（１１）における視野角補正を上記第１の領域よりも強く設定した第２の領域において、入力信号に示された上記第１画素および上記第２画素のそれぞれが上記ある有彩色を示すときの上記第１画素の上記第１サブ画素の輝度と上記第２画素の上記第１サブ画素の輝度とは互いに異なっており、入力信号に示された上記第１画素および上記第２画素のそれぞれが上記ある無彩色を示すときの上記第１画素の上記第１サブ画素の輝度と上記第２画素の上記第１サブ画素の輝度とは互いに異なっていてもよい。
【０１９２】
上記の構成によっても、態様６と同様な効果を奏することができる。
【０１９３】
本発明の態様８に係る表示装置（１）は、上記態様７において、表示制御部（１０）により、表示部（１１）における視野角補正を上記第２の領域よりも強く設定した第３の領域において、入力信号に示された上記第１画素および上記第２画素のそれぞれが上記ある有彩色を示すときの上記第１画素の上記第２サブ画素の輝度と上記第２画素の上記第２サブ画素の輝度とは互いに異なっており、入力信号に示された上記第１画素および上記第２画素のそれぞれが上記ある無彩色を示すときの上記第１画素の上記第２サブ画素の輝度と上記第２画素の上記第２サブ画素の輝度とは互いに異なっていてもよい。
【０１９４】
上記の構成によっても、態様６と同様な効果を奏することができる。
【０１９５】
本発明の態様９に係る表示装置（１ｂ）は、上記態様６から８の何れか１つにおいて、上記第１サブ画素は赤サブ画素であり、 上記第２サブ画素は緑サブ画素であり、上記第３サブ画素は青サブ画素であってもよい。
【０１９６】
上記の構成によっても、態様６と同様な効果を奏することができる。
【０１９７】
本発明の態様１０に係る表示装置（１）は、上記態様９において、入力信号示された上記第１画素および上記第２画素のそれぞれが上記ある有彩色を示すときの上記第１画素および上記第２画素のそれぞれの上記青サブ画素の階調レベルは、上記第１画素および上記第２画素のそれぞれの上記赤サブ画素の階調レベルよりも高く、且つ、上記第１画素および上記第２画素のそれぞれの上記緑サブ画素の階調レベルよりも高く、入力信号に示された上記第１画素および上記第２画素のそれぞれが上記ある無彩色を示すときの上記第１画素および上記第２画素のそれぞれの上記赤サブ画素の階調レベルと上記第１画素および上記第２画素のそれぞれの上記緑サブ画素の階調レベルと、上記第１画素および上記第２画素のそれぞれの上記青サブ画素の階調レベルとは、互いに等しくてもよい。
【０１９８】
上記の構成によっても、態様６と同様な効果を奏することができる。
【０１９９】
本発明の態様１１に係るテレビジョン受像機は、上記態様１〜１０の何れか１つに記載の表示装置を備えている。
【０２００】
上記の構成によっても、上記態様１と同様な効果を奏する。
【０２０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０２０２】
１、１ａ、１ｂ  表示装置
１０  表示制御部
１１  表示部
１２  人感センサー
１３  表示対象コンテンツ種類判定部
３００Ａ  補正部
【図１】
2020034876.tif 000010
【図２】
2020034876.tif 000011
【図３】
2020034876.tif 000012
【図４】
2020034876.tif 000013
【図５】
2020034876.tif 000014
【図６】
2020034876.tif 000015
【図７】
2020034876.tif 000016
【図８】
2020034876.tif 000017
【図９】
2020034876.tif 000018
【図１０】
2020034876.tif 000019
【図１１】
2020034876.tif 000020
【図１２】
2020034876.tif 000021
【図１３】
2020034876.tif 000022
【図１４】
2020034876.tif 000023
【図１５】
2020034876.tif 000024
【図１６】
2020034876.tif 000025
【図１７】
2020034876.tif 000026
【図１８】
2020034876.tif 000027
【図１９】
2020034876.tif 000028
【図２０】
2020034876.tif 000029
【図２１】
2020034876.tif 000030
【図２２】
2020034876.tif 000031